(57)【要約】【課題】複数のアクセスポイントが発見される位置で、ユーザが何ら選択することなく、現在位置に基づくＷｅｂサーバのサイトページを携帯端末に取得させる方法を提供する。【解決手段】プロキシサーバは、アクセスポイントのアドレス及びサイトページのアドレスの組毎に、リファレンス情報を対応付けて記憶したアドレス対応テーブルを含む。携帯端末は、自らの周辺のアクセスポイントをサーチし、アクセスポイントのアドレスを含む報知信号を受信する。次に、携帯端末が、それらアドレスを含むページ取得要求を、プロキシサーバへ送信する。次に、プロキシサーバが、アドレス対応テーブルを用いてサイトページのアドレスを検索し、それらアドレスを更新時刻が新しいものから順に並べたリスト情報を携帯端末へ応答する。携帯端末は、リスト情報に基づく各ページ取得要求をサイトサーバへ送信する。【選択図】図３
2014232907.tif 000002
【特許請求の範囲】
【請求項１】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおけるページ取得方法において、
システムには、アクセスポイントのアドレス及びサイトページのアドレスの組毎に、当該サイトページに関連するリファレンス情報を対応付けて記憶したアドレス対応テーブルを含むプロキシサーバが、広域ネットワークに更に接続されており、
前記携帯端末が、自らの周辺のアクセスポイントをサーチすることによって、各アクセスポイントから、当該アクセスポイントのアドレスを含む報知信号を受信する第１のステップと、
前記携帯端末が、前記報知信号に含まれた複数のアクセスポイントのアドレスと、前記サイトページのリファレンス情報を検索するためのクエリ情報とを含むページ取得要求を、前記プロキシサーバへ送信する第２のステップと、
前記プロキシサーバが、前記アドレス対応テーブルを用いて、前記ページ取得要求に含まれる各アクセスポイントのアドレスに対応したサイトページのアドレスを検索する第３のステップと、
前記プロキシサーバが、検索した複数のサイトページのアドレスを、前記クエリ情報に関連する前記リファレンス情報を有するものから順に並べたリスト情報を生成する第４のステップと、
前記プロキシサーバが、前記リスト情報を前記携帯端末へ応答する第５のステップと、
前記携帯端末が、前記リスト情報をユーザに明示し、１つ以上のアドレスを宛先とする各ページ取得要求を、それぞれのサイトサーバへ送信する第６のステップと、
を有することを特徴とするページ取得方法。
【請求項２】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおけるページ取得方法において、
システムには、アクセスポイントのアドレス及びサイトページのアドレスの組毎に対応付けて記憶したアドレス対応テーブルを含むプロキシサーバが、広域ネットワークに更に接続されており、
前記携帯端末が、自らの周辺のアクセスポイントをサーチすることによって、各アクセスポイントから、当該アクセスポイントのアドレスを含む報知信号を受信する第１のステップと、
前記携帯端末が、前記報知信号に含まれた複数のアクセスポイントのアドレスと、前記サイトページを検索するためのクエリ情報とを含むページ取得要求を、前記プロキシサーバへ送信する第２のステップと、
前記プロキシサーバが、前記アドレス対応テーブルを用いて、前記ページ取得要求に含まれる各アクセスポイントのアドレスに対応したサイトページのアドレスを検索する第３のステップと、
前記プロキシサーバが、検索したアドレスのサイトページ内のコンテンツをリファレンス情報として前記クエリ情報を用いて検索し、複数のサイトページのアドレスを、前記クエリ情報に関連する前記リファレンス情報を有するものから順に並べたリスト情報を生成する第４のステップと、
前記プロキシサーバが、前記リスト情報を前記携帯端末へ応答する第５のステップと、
前記携帯端末が、前記リスト情報をユーザに明示し、１つ以上のアドレスを宛先とする各ページ取得要求を、それぞれのサイトサーバへ送信する第６のステップと、
を有することを特徴とするページ取得方法。
【請求項３】
前記リファレンス情報は、当該サイトページに関連する更新時刻であり、
前記クエリ情報は、ユーザによって指定された順序指定情報であり、
第４のステップについて、前記プロキシサーバは、検索した複数のサイトページのアドレスを、前記クエリ情報の順序指定情報に従って前記リファレンス情報の更新時刻に応じた順に並べたリスト情報を生成する
ことを特徴とする請求項１又は２に記載のページ取得方法。
【請求項４】
前記リファレンス情報は、当該サイトページに関連するメッセージ又はキーワード群であり、
前記クエリ情報は、ユーザによって指定されたキーワードであり、
第４のステップについて、前記プロキシサーバは、検索した複数のサイトページのアドレスを、前記クエリ情報のキーワードを多く含む前記リファレンス情報のメッセージ又はキーワード群に応じた順に並べたリスト情報を生成する
ことを特徴とする請求項１又は２に記載のページ取得方法。
【請求項５】
前記リファレンス情報は、当該サイトページに関連する画像であり
前記クエリ情報は、ユーザによって指定された画像であり、
第４のステップについて、前記プロキシサーバは、検索した複数のサイトページのアドレスを、前記クエリ情報の画像に対して前記リファレンス情報の画像の類似度が高いものから順に並べたリスト情報を生成する
ことを特徴とする請求項１又は２に記載のページ取得方法。
【請求項６】
前記携帯端末は、ユーザ指定、ＧＰＳ(Global Positioning System)測位方式又は基地局測位方式によって位置情報を予め取得しており、
前記リファレンス情報は、当該サイトページに関連する位置情報であり、
前記クエリ情報は、前記携帯端末における位置情報であり、
第４のステップについて、前記プロキシサーバは、検索した複数のサイトページのアドレスを、前記クエリ情報の位置情報に対して前記リファレンス情報の位置情報が近いものから順に並べたリスト情報を生成する
ことを特徴とする請求項１又は２に記載のページ取得方法。
【請求項７】
前記携帯端末は、ＧＰＳ測位方式又はセンサ測位方式によって移動速度を予め取得しており、
前記リファレンス情報は、当該サイトページに関連する移動速度範囲であり、
前記クエリ情報は、前記携帯端末における移動速度であり、
第４のステップについて、前記プロキシサーバは、検索した複数のサイトページのアドレスを、前記クエリ情報の移動速度に対して前記リファレンス情報の移動速度範囲が含まれるものから順に並べたリスト情報を生成する
ことを特徴とする請求項１又は２に記載のページ取得方法。
【請求項８】
前記携帯端末は、センサによって、気温、気圧及び／又は湿度を予め取得しており、
前記リファレンス情報は、当該サイトページに関連する気温範囲、気圧範囲及び／又は湿度範囲であり、
前記クエリ情報は、前記携帯端末における気温、気圧及び／又は湿度であり、
第４のステップについて、前記プロキシサーバは、検索した複数のサイトページのアドレスを、前記クエリ情報の気温、気圧及び／又は湿度に対して前記リファレンス情報の気温範囲、気圧範囲及び／又は湿度範囲が含まれるものから順に並べたリスト情報を生成する
ことを特徴とする請求項１又は２に記載のページ取得方法。
【請求項９】
前記リファレンス情報は、当該サイトページに関連する音声データであり、
前記クエリ情報は、前記携帯端末によって予め取得された音声データであり、
第４のステップについて、前記プロキシサーバは、検索した複数のサイトページのアドレスを、前記クエリ情報の音声データに対して前記リファレンス情報の音声データの類似度が高いものから順に並べたリスト情報を生成する
ことを特徴とする請求項１又は２に記載のページ取得方法。
【請求項１０】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおけるページ取得方法において、
システムには、アクセスポイントのアドレス及びサイトページのアドレスの組毎に、当該サイトページに関連するリファレンス情報を対応付けて記憶したアドレス対応テーブルを含むプロキシサーバが、広域ネットワークに更に接続されており、
前記携帯端末は、前記サイトページのリファレンス情報を検索するためのクエリ情報を保持し、
前記携帯端末が、自らの周辺のアクセスポイントをサーチすることによって、各アクセスポイントから、当該アクセスポイントのアドレスを含む報知信号を受信する第１のステップと、
前記携帯端末が、前記報知信号に含まれた複数のアクセスポイントのアドレスを含むページ取得要求を、前記プロキシサーバへ送信する第２のステップと、
前記プロキシサーバが、前記アドレス対応テーブルを用いて、前記ページ取得要求に含まれる各アクセスポイントのアドレスに対応したサイトページのアドレスを検索する第３のステップと、
前記プロキシサーバが、検索した複数の各サイトページのアドレスに、当該サイトページのリファレンス情報を対応付けたリスト情報を生成する第４のステップと、
前記プロキシサーバが、前記リスト情報を前記携帯端末へ応答する第５のステップと、
前記携帯端末が、前記リスト情報について、複数のサイトページのアドレスを、前記クエリ情報に関連する前記リファレンス情報を有するものから順に並べ、当該リスト情報をユーザに明示し、１つ以上のアドレスを宛先とする各ページ取得要求を、それぞれのサイトサーバへ送信する第６のステップと、
を有することを特徴とするページ取得方法。
【請求項１１】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおけるページ取得方法において、
システムには、アクセスポイントのアドレス及びサイトページのアドレスの組毎に対応付けて記憶したアドレス対応テーブルを含むプロキシサーバが、広域ネットワークに更に接続されており、
前記携帯端末は、前記サイトページを検索するためのクエリ情報を保持し、
前記携帯端末が、自らの周辺のアクセスポイントをサーチすることによって、各アクセスポイントから、当該アクセスポイントのアドレスを含む報知信号を受信する第１のステップと、
前記携帯端末が、前記報知信号に含まれた複数のアクセスポイントのアドレスを含むページ取得要求を、前記プロキシサーバへ送信する第２のステップと、
前記プロキシサーバが、前記アドレス対応テーブルを用いて、前記ページ取得要求に含まれる各アクセスポイントのアドレスに対応したサイトページのアドレスを検索する第３のステップと、
前記プロキシサーバが、検索したアドレスのサイトページ内のコンテンツをリファレンス情報として取得し、複数の各サイトページのアドレスに、当該サイトページのリファレンス情報を対応付けたリスト情報を生成する第４のステップと、
前記プロキシサーバが、前記リスト情報を前記携帯端末へ応答する第５のステップと、
前記携帯端末が、前記リスト情報について、複数のサイトページのアドレスを、前記クエリ情報に関連する前記リファレンス情報を有するものから順に並べ、当該リスト情報をユーザに明示し、１つ以上のアドレスを宛先とする各ページ取得要求を、それぞれのサイトサーバへ送信する第６のステップと、
を有することを特徴とするページ取得方法。
【請求項１２】
前記リファレンス情報は、当該サイトページに関連する更新時刻であり、
前記クエリ情報は、ユーザによって指定された順序指定情報であり、
第４のステップについて、前記プロキシサーバは、検索した複数のサイトページのアドレスを、前記クエリ情報の順序指定情報に従って前記リファレンス情報の更新時刻に応じた順に並べたリスト情報を生成する
ことを特徴とする請求項１０又は１１に記載のページ取得方法。
【請求項１３】
前記リファレンス情報は、当該サイトページに関連するメッセージ又はキーワード群であり、
前記クエリ情報は、ユーザによって指定されたキーワードであり、
第６のステップについて、前記携帯端末は、検索した複数のサイトページのアドレスを、前記クエリ情報のキーワードを多く含む前記リファレンス情報のメッセージ又はキーワード群から順に並べたリスト情報を生成する
ことを特徴とする請求項１０又は１１に記載のページ取得方法。
【請求項１４】
前記リファレンス情報は、当該サイトページに関連する画像であり
前記クエリ情報は、ユーザによって指定された画像であり、
第６のステップについて、前記携帯端末は、検索した複数のサイトページのアドレスを、前記クエリ情報の画像に対して前記リファレンス情報の画像の類似度が高いものから順に並べたリスト情報を生成する
ことを特徴とする請求項１０又は１１に記載のページ取得方法。
【請求項１５】
前記携帯端末は、ユーザ指定、ＧＰＳ測位方式又は基地局測位方式によって位置情報を予め取得しており、
前記リファレンス情報は、当該サイトページに関連する位置情報であり、
前記クエリ情報は、前記携帯端末における位置情報であり、
第６のステップについて、前記携帯端末は、検索した複数のサイトページのアドレスを、前記クエリ情報の位置情報に対して前記リファレンス情報の位置情報が近いものから順に並べたリスト情報を生成する
ことを特徴とする請求項１０又は１１に記載のページ取得方法。
【請求項１６】
前記携帯端末は、ＧＰＳ測位方式又はセンサ測位方式によって移動速度を予め取得しており、
前記リファレンス情報は、当該サイトページに関連する移動速度範囲であり、
前記クエリ情報は、前記携帯端末における移動速度であり、
第６のステップについて、前記携帯端末は、検索した複数のサイトページのアドレスを、前記クエリ情報の移動速度に対して前記リファレンス情報の移動速度範囲が含まれるものから順に並べたリスト情報を生成する
ことを特徴とする請求項１０又は１１に記載のページ取得方法。
【請求項１７】
前記携帯端末は、センサによって、気温、気圧及び／又は湿度を予め取得しており、
前記リファレンス情報は、当該サイトページに関連する気温範囲、気圧範囲及び／又は湿度範囲であり、
前記クエリ情報は、前記携帯端末における気温、気圧及び／又は湿度であり、
第６のステップについて、前記携帯端末は、検索した複数のサイトページのアドレスを、前記クエリ情報の気温、気圧及び／又は湿度に対して前記リファレンス情報の気温範囲、気圧範囲及び／又は湿度範囲が含まれるものから順に並べたリスト情報を生成する
ことを特徴とする請求項１０又は１１に記載のページ取得方法。
【請求項１８】
前記リファレンス情報は、当該サイトページに関連する音声データであり、
前記クエリ情報は、前記携帯端末によって予め取得された音声データであり、
第４のステップについて、前記プロキシサーバは、検索した複数のサイトページのアドレスを、前記クエリ情報の音声データに対して前記リファレンス情報の音声データの類似度が高いものから順に並べたリスト情報を生成する
ことを特徴とする請求項１０又は１１に記載のページ取得方法。
【請求項１９】
前記リスト情報は、複数のサイトページのアドレスを並べたＷｅｂページであって、
前記サイトページのアドレスは、ＵＲＬ(Uniform Resource Locator)であり、
前記アクセスポイントのアドレスは、ＭＡＣ(Media Access Control)アドレス又はＳＳＩＤ(Service Set
IDentifier))である
ことを特徴とする請求項１から１８のいずれか１項に記載のページ取得方法。
【請求項２０】
第１のステップについて、前記携帯端末が、前記アクセスポイントから受信する報知信号は、無線ＬＡＮのビーコン信号又はプローブレスポンスであり、
第２のステップについて、前記ページ取得要求は、ＨＴＴＰ(HyperText Transport Protocol)に基づくＧＥＴリクエストである
ことを特徴とする請求項１から１９のいずれか１項に記載のページ取得方法。
【請求項２１】
前記広域ネットワークに、課金制御サーバが更に接続されており、
前記課金制御サーバは、前記サイトページの公開者に基づく口座情報と、前記プロキシサーバの運用者に基づく口座情報とを管理しており、
前記携帯端末は、前記リスト情報のいずれかのアドレスの選択によって前記サイトサーバへページ取得要求を送信した際に、前記携帯端末は、前記サイトページの公開者に基づく口座情報から所定金額情報を、前記プロキシサーバの運用者に基づく口座情報へ転送するべく指示する課金指示要求を、前記課金制御サーバへ送信する
ことを特徴とする請求項１から２０のいずれか１項に記載のページ取得方法。
【請求項２２】
前記プロキシサーバは、前記アドレス対応テーブルに対して、アクセスポイントのアドレスにサイトページのアドレスが追加された際に、前記プロキシサーバは、前記サイトページの公開者に基づく口座情報から所定金額情報を、前記プロキシサーバの運用者に基づく口座情報へ転送するべく指示する課金指示要求を、前記課金制御サーバへ送信する
ことを特徴とする請求項２１に記載のページ取得方法。
【請求項２３】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおいて、
広域ネットワークに接続され、アクセスポイントのアドレス及びサイトページのアドレスの組毎に、当該サイトページに関連するリファレンス情報を対応付けて記憶したアドレス対応テーブルを含むプロキシサーバを更に有し、
前記携帯端末は、
自らの周辺のアクセスポイントをサーチすることによって、各アクセスポイントから、当該アクセスポイントのアドレスを含む報知信号を受信する報知信号受信手段と、
前記報知信号に含まれた複数のアクセスポイントのアドレスと、前記サイトページのリファレンス情報を検索するためのクエリ情報とを含むページ取得要求を、前記プロキシサーバへ送信する第１のページ取得要求送信手段と、
前記リスト情報をユーザに明示し、１つ以上のアドレスを宛先とする各ページ取得要求を、それぞれのサイトサーバへ送信する第２のページ取得要求送信手段と
を有し、
前記プロキシサーバは、
前記アドレス対応テーブルを用いて、前記ページ取得要求に含まれる各アクセスポイントのアドレスに対応したサイトページのアドレスを検索するアドレス検索手段と、
検索した複数のサイトページのアドレスを、前記クエリ情報に関連する前記リファレンス情報を有するものから順に並べたリスト情報を生成するリスト情報生成手段と、
前記リスト情報を前記携帯端末へ応答するリスト情報応答手段と
を有することを特徴とするシステム。
【請求項２４】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおいて、
広域ネットワークに接続され、アクセスポイントのアドレス及びサイトページのアドレスの組毎に対応付けて記憶したアドレス対応テーブルを含むプロキシサーバを更に有し、
前記携帯端末は、
自らの周辺のアクセスポイントをサーチすることによって、各アクセスポイントから、当該アクセスポイントのアドレスを含む報知信号を受信する報知信号受信手段と、
前記報知信号に含まれた複数のアクセスポイントのアドレスと、前記サイトページを検索するためのクエリ情報とを含むページ取得要求を、前記プロキシサーバへ送信する第１のページ取得要求送信手段と、
前記リスト情報をユーザに明示し、１つ以上のアドレスを宛先とする各ページ取得要求を、それぞれのサイトサーバへ送信する第２のページ取得要求送信手段と
を有し、
前記プロキシサーバは、
前記アドレス対応テーブルを用いて、前記ページ取得要求に含まれる各アクセスポイントのアドレスに対応したサイトページのアドレスを検索するアドレス検索手段と、
検索したアドレスのサイトページ内のコンテンツをリファレンス情報として前記クエリ情報を用いて検索し、複数のサイトページのアドレスを、前記クエリ情報に関連する前記リファレンス情報を有するものから順に並べたリスト情報を生成するリスト情報生成手段と、
前記リスト情報を前記携帯端末へ応答するリスト情報応答手段と
を有することを特徴とするシステム。
【請求項２５】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおいて、
広域ネットワークに接続され、アクセスポイントのアドレス及びサイトページのアドレスの組毎に、当該サイトページに関連するリファレンス情報を対応付けて記憶したアドレス対応テーブルを含むプロキシサーバを更に有し、
前記携帯端末は、
前記サイトページのリファレンス情報を検索するためのクエリ情報を保持し、
自らの周辺のアクセスポイントをサーチすることによって、各アクセスポイントから、当該アクセスポイントのアドレスを含む報知信号を受信する報知信号受信手段と、
前記報知信号に含まれた複数のアクセスポイントのアドレスを含むページ取得要求を、前記プロキシサーバへ送信する第１のページ取得要求送信手段と、
リスト情報について、複数のサイトページのアドレスを、前記クエリ情報に関連する前記リファレンス情報を有するものから順に並べ、当該リスト情報をユーザに明示し、１つ以上のアドレスを宛先とする各ページ取得要求を、それぞれのサイトサーバへ送信する第２のページ取得要求送信手段と
を有し、
前記プロキシサーバは、
前記アドレス対応テーブルを用いて、前記ページ取得要求に含まれる各アクセスポイントのアドレスに対応したサイトページのアドレスを検索するアドレス検索手段と、
検索した複数の各サイトページのアドレスに、前記サイトページのリファレンス情報を対応付けたリスト情報を生成するリスト情報生成手段と、
前記リスト情報を前記携帯端末へ応答するリスト情報応答手段と
を有することを特徴とするシステム。
【請求項２６】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおいて、
広域ネットワークに接続され、アクセスポイントのアドレス及びサイトページのアドレスの組毎に対応付けて記憶したアドレス対応テーブルを含むプロキシサーバを更に有し、
前記携帯端末は、
前記サイトページを検索するためのクエリ情報を保持し、
自らの周辺のアクセスポイントをサーチすることによって、各アクセスポイントから、当該アクセスポイントのアドレスを含む報知信号を受信する報知信号受信手段と、
前記報知信号に含まれた複数のアクセスポイントのアドレスを含むページ取得要求を、前記プロキシサーバへ送信する第１のページ取得要求送信手段と、
リスト情報について、複数のサイトページのアドレスを、前記クエリ情報に関連するリファレンス情報を有するものから順に並べ、当該リスト情報をユーザに明示し、１つ以上のアドレスを宛先とする各ページ取得要求を、それぞれのサイトサーバへ送信する第２のページ取得要求送信手段と
を有し、
前記プロキシサーバは、
前記アドレス対応テーブルを用いて、前記ページ取得要求に含まれる各アクセスポイントのアドレスに対応したサイトページのアドレスを検索するアドレス検索手段と、
検索したアドレスのサイトページ内のコンテンツをリファレンス情報として取得し、複数の各サイトページのアドレスに、当該サイトページのリファレンス情報を対応付けたリスト情報を生成するリスト情報生成手段と、
前記リスト情報を前記携帯端末へ応答するリスト情報応答手段と
を有することを特徴とするシステム。
【発明の詳細な説明】
【技術分野】
【０００１】
本発明は、携帯端末に、Ｗｅｂサーバのサイトページをアクセスポイントを介して取得させる技術に関する。
【背景技術】
【０００２】
インターネットの発展に伴って、Ｗｅｂサーバのサイトページは、各企業や店舗にとって重要な広告媒体となっている。一般に、大規模な企業は、地域を問わずより多くの人に対して、自社のＷｅｂサイトを閲覧させたいと考える。即ち、インターネットに接続することによって、当該企業の実体が存在する位置と、そのＷｅｂサイトにアクセスするユーザの位置との間の距離は、何ら意味を持たない。
【０００３】
一方で、地域に根ざした小規模な店舗は、その地域周辺に滞在する人に対してのみ、自社のＷｅｂサイトを閲覧させたいと考える。例えば飲食店や生鮮食料品店などは、ユーザ自らが実際にその店舗へ来店する必要があるので、遠方に滞在する人に対しては何ら意味を持たない。
【０００４】
図１は、従来技術におけるシステム構成図である。
【０００５】
図１によれば、店舗Ａ〜Ｃの実体が、それぞれ異なる地域（位置）で商運営されている。また、店舗Ａ〜Ｃ内にはそれぞれ、アクセスポイント５Ａ〜５Ｃが設置されている。このアクセスポイントとしては、店舗の業務用として利用される場合もあるし、顧客に利用させる場合もある。また、各アクセスポイント５Ａ〜５Ｃは、店舗毎に個別に契約されたアクセスネットワーク（例えば光回線）を介して、インターネット（広域ネットワーク）に接続されている。
【０００６】
各店舗Ａ〜Ｃは、インターネット上のＷｅｂサーバの運営会社と契約し、店舗自らのサイトページを公開している。これらサイトページの内容は、各店舗Ａ〜Ｃの広告媒体となるページであって、顧客に閲覧させることによって集客を図ろうとするものである。
【０００７】
図１によれば、携帯端末２は、各店舗Ａ〜Ｃのアクセスポイント５Ａ〜５Ｃから、無線ＬＡＮ(Local Area Network)のビーコン信号（報知信号）を受信可能な位置に滞在している。また、携帯端末２は、そのユーザが個別に契約したアクセスネットワークを介して、インターネットに接続することができる。携帯端末２が契約するアクセスネットワークとしては、無線ＬＡＮに限られず、例えばＷｉＭＡＸ(Worldwide Interoperability for Microwave Access)、ＬＴＥ(Long Term Evolution)、３Ｇ(3rd Generation)等であってもよい。
【０００８】
ユーザは、携帯端末２を用いて周辺のアクセスポイントをサーチすることによって、自ら契約したアクセスネットワークを発見することができる。具体的には、各アクセスポイントから、当該アクセスポイントのアドレスを含む報知信号を受信し、その中から発見することができる。報知信号とは、例えば無線ＬＡＮの場合、ビーコン信号又はプローブレスポンスである。そして、当該ユーザの操作に応じて、携帯端末２は、その契約されたアクセスネットワークのアクセスポイント（又は基地局）に接続することができる。
【０００９】
携帯端末２は、例えばスマートフォンやタブレット端末であって、サイトページをディスプレイにレンダリングするべく、Ｗｅｂブラウザをインストールしている。携帯端末２は、ユーザ自ら契約したアクセスネットワークを介してインターネットへ接続し、各店舗Ａ〜Ｃが契約したＷｅｂサーバのサイトページへアクセスすることによって、そのサイトページをブラウジングすることができる。
【００１０】
従来、広告提供システムについて、端末が、アクセスポイントから配信されるビーコン信号を受信し、そのビーコン信号に含まれるＳＳＩＤ(Service Set IDentifierの履歴を蓄積し、その履歴をサーバへ送信することによって、そのサーバからそれらＳＳＩＤに対応付けられた広告情報を受信する技術がある（例えば特許文献１参照）。
【００１１】
また、基地局が、サーバのアドレス及び当該基地局の識別子を含むビーコン信号を報知し、そのビーコン信号を受信した端末が、そのサーバのアドレスへ向けて当該基地局の識別子を含むページ取得要求を送信することによって、基地局が配信するコンテンツに関する情報を取得する技術もある（例えば特許文献２参照）。
【００１２】
更に、サーバが位置に応じた地域情報を蓄積し、アクセスポイントが位置の識別情報を有し、無線端末は、アクセスポイントから取得した位置の識別情報を含む要求信号を、サーバへ送信することによって、その地域情報を取得する技術もある（例えば特許文献３参照）。
【先行技術文献】
【特許文献】
【００１３】
【特許文献１】特開２００９−１８８９２２号公報
【特許文献２】特開２００９−０８９００３号公報
【特許文献３】特開２００５−０２７２３９号公報
【発明の概要】
【発明が解決しようとする課題】
【００１４】
しかしながら、例えばビジネス街周辺では、携帯端末２が、自らの周辺のアクセスポイントをサーチした場合、多数のアクセスポイントが発見されるという現実がある。このとき、ユーザは、発見されたアクセスポイントのＳＳＩＤを閲覧しながら、所望のアクセスポイントを選択する操作が必要となる。前述した特許文献１〜３に記載された技術のように、アクセスポイント又は基地局の位置に基づく識別子に対応するコンテンツをサーバから受信する場合であっても、自ら所望のアクセスポイントを選択する操作が必要となる。
【００１５】
また、特許文献１〜３に記載された技術によれば、小規模な店舗のサイトページを携帯端末へ配信したいとしても、多数のアクセスポイントのＳＳＩＤの中からの選択権は、ユーザ自身にある。ユーザが多数のＳＳＩＤの中から選択できるものは、接続先のアクセスポイントに過ぎない。ましてや、ユーザ自身が全く知らないアクセスポイントに基づくコンテンツを取得することは、セキュリティの観点からもあり得ない。即ち、特許文献１〜３に記載された技術によれば、携帯端末を所持するユーザ自身が、予め知り得たアクセスポイントのＳＳＩＤと紐付いた地域情報しか取得できていない。
【００１６】
更に、店舗側としては、多数のユーザに対して、自らの特徴ある情報を閲覧して欲しい、即ち、その特徴ある情報を欲するユーザには、できる限り自らのサイトページを閲覧して欲しいと考える。一方で、ユーザ側としても、できる限り自ら所望の情報を提供してくれるサイトページを閲覧したいと考える。しかしながら、前述したように、アクセスポイントのＳＳＩＤの選択権はユーザにしかなく、ユーザにとっては、その店舗のサイトページから所望の情報が提供されているか否かは知ることもできない。
【００１７】
そこで、本発明は、複数のアクセスポイントが発見されるような位置であっても、ユーザが何ら選択することなく、現在位置に基づくサイトページの中で所望条件の情報を携帯端末へ提供することができる方法及びシステムを提供することを目的とする。
【課題を解決するための手段】
【００１８】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおけるページ取得方法において、
システムには、アクセスポイントのアドレス及びサイトページのアドレスの組毎に、当該サイトページに関連するリファレンス情報を対応付けて記憶したアドレス対応テーブルを含むプロキシサーバが、広域ネットワークに更に接続されており、
携帯端末が、自らの周辺のアクセスポイントをサーチすることによって、各アクセスポイントから、当該アクセスポイントのアドレスを含む報知信号を受信する第１のステップと、
携帯端末が、報知信号に含まれた複数のアクセスポイントのアドレスと、サイトページのリファレンス情報を検索するためのクエリ情報とを含むページ取得要求を、プロキシサーバへ送信する第２のステップと、
プロキシサーバが、アドレス対応テーブルを用いて、ページ取得要求に含まれる各アクセスポイントのアドレスに対応したサイトページのアドレスを検索する第３のステップと、
プロキシサーバが、検索した複数のサイトページのアドレスを、クエリ情報に関連するリファレンス情報を有するものから順に並べたリスト情報を生成する第４のステップと、
プロキシサーバが、リスト情報を携帯端末へ応答する第５のステップと、
携帯端末が、リスト情報をユーザに明示し、１つ以上のアドレスを宛先とする各ページ取得要求を、それぞれのサイトサーバへ送信する第６のステップと、
を有することを特徴とする。
【００１９】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおけるページ取得方法において、
システムには、アクセスポイントのアドレス及びサイトページのアドレスの組毎に対応付けて記憶したアドレス対応テーブルを含むプロキシサーバが、広域ネットワークに更に接続されており、
携帯端末が、自らの周辺のアクセスポイントをサーチすることによって、各アクセスポイントから、当該アクセスポイントのアドレスを含む報知信号を受信する第１のステップと、
携帯端末が、報知信号に含まれた複数のアクセスポイントのアドレスと、サイトページを検索するためのクエリ情報とを含むページ取得要求を、プロキシサーバへ送信する第２のステップと、
プロキシサーバが、アドレス対応テーブルを用いて、ページ取得要求に含まれる各アクセスポイントのアドレスに対応したサイトページのアドレスを検索する第３のステップと、
プロキシサーバが、検索したアドレスのサイトページ内のコンテンツをリファレンス情報としてクエリ情報を用いて検索し、複数のサイトページのアドレスを、クエリ情報に関連するリファレンス情報を有するものから順に並べたリスト情報を生成する第４のステップと、
プロキシサーバが、リスト情報を携帯端末へ応答する第５のステップと、
携帯端末が、リスト情報をユーザに明示し、１つ以上のアドレスを宛先とする各ページ取得要求を、それぞれのサイトサーバへ送信する第６のステップと、
を有することを特徴とする。
【００２０】
本発明のページ取得方法における他の実施形態によれば、
リファレンス情報は、当該サイトページに関連する更新時刻であり、
クエリ情報は、ユーザによって指定された順序指定情報であり、
第４のステップについて、プロキシサーバは、検索した複数のサイトページのアドレスを、クエリ情報の順序指定情報に従ってリファレンス情報の更新時刻に応じた順に並べたリスト情報を生成することも好ましい。
【００２１】
本発明のページ取得方法における他の実施形態によれば、
リファレンス情報は、当該サイトページに関連するメッセージ又はキーワード群であり、
クエリ情報は、ユーザによって指定されたキーワードであり、
第４のステップについて、プロキシサーバは、検索した複数のサイトページのアドレスを、クエリ情報のキーワードを多く含むリファレンス情報のメッセージ又はキーワード群に応じた順に並べたリスト情報を生成することも好ましい。
【００２２】
本発明のページ取得方法における他の実施形態によれば、
リファレンス情報は、当該サイトページに関連する画像であり
クエリ情報は、ユーザによって指定された画像であり、
第４のステップについて、プロキシサーバは、検索した複数のサイトページのアドレスを、クエリ情報の画像に対してリファレンス情報の画像の類似度が高いものから順に並べたリスト情報を生成することも好ましい。
【００２３】
本発明のページ取得方法における他の実施形態によれば、
携帯端末は、ユーザ指定、ＧＰＳ(Global Positioning System)測位方式又は基地局測位方式によって位置情報を予め取得しており、
リファレンス情報は、当該サイトページに関連する位置情報であり、
クエリ情報は、携帯端末における位置情報であり、
第４のステップについて、プロキシサーバは、検索した複数のサイトページのアドレスを、クエリ情報の位置情報に対してリファレンス情報の位置情報が近いものから順に並べたリスト情報を生成することも好ましい。
【００２４】
本発明のページ取得方法における他の実施形態によれば、
携帯端末は、ＧＰＳ測位方式又はセンサ測位方式によって移動速度を予め取得しており、
リファレンス情報は、当該サイトページに関連する移動速度範囲であり、
クエリ情報は、携帯端末における移動速度であり、
第４のステップについて、プロキシサーバは、検索した複数のサイトページのアドレスを、クエリ情報の移動速度に対してリファレンス情報の移動速度範囲が含まれるものから順に並べたリスト情報を生成することも好ましい。
【００２５】
本発明のページ取得方法における他の実施形態によれば、
携帯端末は、センサによって、気温、気圧及び／又は湿度を予め取得しており、
リファレンス情報は、当該サイトページに関連する気温範囲、気圧範囲及び／又は湿度範囲であり、
クエリ情報は、携帯端末における気温、気圧及び／又は湿度であり、
第４のステップについて、プロキシサーバは、検索した複数のサイトページのアドレスを、クエリ情報の気温、気圧及び／又は湿度に対してリファレンス情報の気温範囲、気圧範囲及び／又は湿度範囲が含まれるものから順に並べたリスト情報を生成することも好ましい。
【００２６】
本発明のページ取得方法における他の実施形態によれば、
リファレンス情報は、当該サイトページに関連する音声データであり、
クエリ情報は、携帯端末によって予め取得された音声データであり、
第４のステップについて、プロキシサーバは、検索した複数のサイトページのアドレスを、クエリ情報の音声データに対してリファレンス情報の音声データの類似度が高いものから順に並べたリスト情報を生成することも好ましい。
【００２７】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおけるページ取得方法において、
システムには、アクセスポイントのアドレス及びサイトページのアドレスの組毎に、当該サイトページに関連するリファレンス情報を対応付けて記憶したアドレス対応テーブルを含むプロキシサーバが、広域ネットワークに更に接続されており、
携帯端末は、サイトページのリファレンス情報を検索するためのクエリ情報を保持し、
携帯端末が、自らの周辺のアクセスポイントをサーチすることによって、各アクセスポイントから、当該アクセスポイントのアドレスを含む報知信号を受信する第１のステップと、
携帯端末が、報知信号に含まれた複数のアクセスポイントのアドレスを含むページ取得要求を、プロキシサーバへ送信する第２のステップと、
プロキシサーバが、アドレス対応テーブルを用いて、ページ取得要求に含まれる各アクセスポイントのアドレスに対応したサイトページのアドレスを検索する第３のステップと、
プロキシサーバが、検索した複数の各サイトページのアドレスに、当該サイトページのリファレンス情報を対応付けたリスト情報を生成する第４のステップと、
プロキシサーバが、リスト情報を携帯端末へ応答する第５のステップと、
携帯端末が、リスト情報について、複数のサイトページのアドレスを、クエリ情報に関連するリファレンス情報を有するものから順に並べ、当該リスト情報をユーザに明示し、１つ以上のアドレスを宛先とする各ページ取得要求を、それぞれのサイトサーバへ送信する第６のステップと、
を有することを特徴とする。
【００２８】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおけるページ取得方法において、
システムには、アクセスポイントのアドレス及びサイトページのアドレスの組毎に対応付けて記憶したアドレス対応テーブルを含むプロキシサーバが、広域ネットワークに更に接続されており、
携帯端末は、サイトページを検索するためのクエリ情報を保持し、
携帯端末が、自らの周辺のアクセスポイントをサーチすることによって、各アクセスポイントから、当該アクセスポイントのアドレスを含む報知信号を受信する第１のステップと、
携帯端末が、報知信号に含まれた複数のアクセスポイントのアドレスを含むページ取得要求を、プロキシサーバへ送信する第２のステップと、
プロキシサーバが、アドレス対応テーブルを用いて、ページ取得要求に含まれる各アクセスポイントのアドレスに対応したサイトページのアドレスを検索する第３のステップと、
プロキシサーバが、検索したアドレスのサイトページ内のコンテンツをリファレンス情報として取得し、複数の各サイトページのアドレスに、当該サイトページのリファレンス情報を対応付けたリスト情報を生成する第４のステップと、
プロキシサーバが、リスト情報を携帯端末へ応答する第５のステップと、
携帯端末が、リスト情報について、複数のサイトページのアドレスを、クエリ情報に関連するリファレンス情報を有するものから順に並べ、当該リスト情報をユーザに明示し、１つ以上のアドレスを宛先とする各ページ取得要求を、それぞれのサイトサーバへ送信する第６のステップと、
を有することを特徴とする。
【００２９】
本発明のページ取得方法における他の実施形態によれば、
リファレンス情報は、当該サイトページに関連する更新時刻であり、
クエリ情報は、ユーザによって指定された順序指定情報であり、
第４のステップについて、プロキシサーバは、検索した複数のサイトページのアドレスを、クエリ情報の順序指定情報に従ってリファレンス情報の更新時刻に応じた順に並べたリスト情報を生成することも好ましい。
【００３０】
本発明のページ取得方法における他の実施形態によれば、
リファレンス情報は、当該サイトページに関連するメッセージ又はキーワード群であり、
クエリ情報は、ユーザによって指定されたキーワードであり、
第６のステップについて、携帯端末は、検索した複数のサイトページのアドレスを、クエリ情報のキーワードを多く含むリファレンス情報のメッセージ又はキーワード群から順に並べたリスト情報を生成することも好ましい。
【００３１】
本発明のページ取得方法における他の実施形態によれば、
リファレンス情報は、当該サイトページに関連する画像であり
クエリ情報は、ユーザによって指定された画像であり、
第６のステップについて、携帯端末は、検索した複数のサイトページのアドレスを、クエリ情報の画像に対してリファレンス情報の画像の類似度が高いものから順に並べたリスト情報を生成することも好ましい。
【００３２】
本発明のページ取得方法における他の実施形態によれば、
携帯端末は、ユーザ指定、ＧＰＳ測位方式又は基地局測位方式によって位置情報を予め取得しており、
リファレンス情報は、当該サイトページに関連する位置情報であり、
クエリ情報は、携帯端末における位置情報であり、
第６のステップについて、携帯端末は、検索した複数のサイトページのアドレスを、クエリ情報の位置情報に対してリファレンス情報の位置情報が近いものから順に並べたリスト情報を生成することも好ましい。
【００３３】
本発明のページ取得方法における他の実施形態によれば、
携帯端末は、ＧＰＳ測位方式又はセンサ測位方式によって移動速度を予め取得しており、
リファレンス情報は、当該サイトページに関連する移動速度範囲であり、
クエリ情報は、携帯端末における移動速度であり、
第６のステップについて、携帯端末は、検索した複数のサイトページのアドレスを、クエリ情報の移動速度に対してリファレンス情報の移動速度範囲が含まれるものから順に並べたリスト情報を生成することも好ましい。
【００３４】
本発明のページ取得方法における他の実施形態によれば、
携帯端末は、センサによって、気温、気圧及び／又は湿度を予め取得しており、
リファレンス情報は、当該サイトページに関連する気温範囲、気圧範囲及び／又は湿度範囲であり、
クエリ情報は、携帯端末における気温、気圧及び／又は湿度であり、
第６のステップについて、携帯端末は、検索した複数のサイトページのアドレスを、クエリ情報の気温、気圧及び／又は湿度に対してリファレンス情報の気温範囲、気圧範囲及び／又は湿度範囲が含まれるものから順に並べたリスト情報を生成する
ことも好ましい。
【００３５】
本発明のページ取得方法における他の実施形態によれば、
リファレンス情報は、当該サイトページに関連する音声データであり、
クエリ情報は、携帯端末によって予め取得された音声データであり、
第４のステップについて、プロキシサーバは、検索した複数のサイトページのアドレスを、クエリ情報の音声データに対してリファレンス情報の音声データの類似度が高いものから順に並べたリスト情報を生成することも好ましい。
【００３６】
本発明のページ取得方法における他の実施形態によれば、
リスト情報は、複数のサイトページのアドレスを並べたＷｅｂページであって、
サイトページのアドレスは、ＵＲＬ(Uniform Resource Locator)であり、
アクセスポイントのアドレスは、ＭＡＣ(Media Access Control)アドレス又はＳＳＩＤ(Service Set IDentifier))である
ことも好ましい。
【００３７】
本発明のページ取得方法における他の実施形態によれば、
第１のステップについて、携帯端末が、アクセスポイントから受信する報知信号は、無線ＬＡＮのビーコン信号又はプローブレスポンスであり、
第２のステップについて、ページ取得要求は、ＨＴＴＰ(HyperText Transport Protocol)に基づくＧＥＴリクエストである
ことも好ましい。
【００３８】
本発明のページ取得方法における他の実施形態によれば、
広域ネットワークに、課金制御サーバが更に接続されており、
課金制御サーバは、サイトページの公開者に基づく口座情報と、プロキシサーバの運用者に基づく口座情報とを管理しており、
携帯端末は、リスト情報のいずれかのアドレスの選択によってサイトサーバへページ取得要求を送信した際に、携帯端末は、サイトページの公開者に基づく口座情報から所定金額情報を、プロキシサーバの運用者に基づく口座情報へ転送するべく指示する課金指示要求を、課金制御サーバへ送信する
ことも好ましい。
【００３９】
本発明のページ取得方法における他の実施形態によれば、
プロキシサーバは、アドレス対応テーブルに対して、アクセスポイントのアドレスにサイトページのアドレスが追加された際に、プロキシサーバは、サイトページの公開者に基づく口座情報から所定金額情報を、プロキシサーバの運用者に基づく口座情報へ転送するべく指示する課金指示要求を、課金制御サーバへ送信する
ことも好ましい。
【００４０】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおいて、
広域ネットワークに接続され、アクセスポイントのアドレス及びサイトページのアドレスの組毎に、当該サイトページに関連するリファレンス情報を対応付けて記憶したアドレス対応テーブルを含むプロキシサーバを更に有し、
携帯端末は、
自らの周辺のアクセスポイントをサーチすることによって、各アクセスポイントから、当該アクセスポイントのアドレスを含む報知信号を受信する報知信号受信手段と、
報知信号に含まれた複数のアクセスポイントのアドレスと、サイトページのリファレンス情報を検索するためのクエリ情報とを含むページ取得要求を、プロキシサーバへ送信する第１のページ取得要求送信手段と、
リスト情報をユーザに明示し、１つ以上のアドレスを宛先とする各ページ取得要求を、それぞれのサイトサーバへ送信する第２のページ取得要求送信手段と
を有し、
プロキシサーバは、
アドレス対応テーブルを用いて、ページ取得要求に含まれる各アクセスポイントのアドレスに対応したサイトページのアドレスを検索するアドレス検索手段と、
検索した複数のサイトページのアドレスを、クエリ情報に関連するリファレンス情報を有するものから順に並べたリスト情報を生成するリスト情報生成手段と、
リスト情報を携帯端末へ応答するリスト情報応答手段と
を有することを特徴とする。
【００４１】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおいて、
広域ネットワークに接続され、アクセスポイントのアドレス及びサイトページのアドレスの組毎に対応付けて記憶したアドレス対応テーブルを含むプロキシサーバを更に有し、
携帯端末は、
自らの周辺のアクセスポイントをサーチすることによって、各アクセスポイントから、当該アクセスポイントのアドレスを含む報知信号を受信する報知信号受信手段と、
報知信号に含まれた複数のアクセスポイントのアドレスと、サイトページを検索するためのクエリ情報とを含むページ取得要求を、プロキシサーバへ送信する第１のページ取得要求送信手段と、
リスト情報をユーザに明示し、１つ以上のアドレスを宛先とする各ページ取得要求を、それぞれのサイトサーバへ送信する第２のページ取得要求送信手段と
を有し、
プロキシサーバは、
アドレス対応テーブルを用いて、ページ取得要求に含まれる各アクセスポイントのアドレスに対応したサイトページのアドレスを検索するアドレス検索手段と、
検索したアドレスのサイトページ内のコンテンツをリファレンス情報としてクエリ情報を用いて検索し、複数のサイトページのアドレスを、クエリ情報に関連するリファレンス情報を有するものから順に並べたリスト情報を生成するリスト情報生成手段と、
リスト情報を携帯端末へ応答するリスト情報応答手段と
を有することを特徴とする。
【００４２】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおいて、
広域ネットワークに接続され、アクセスポイントのアドレス及びサイトページのアドレスの組毎に、当該サイトページに関連するリファレンス情報を対応付けて記憶したアドレス対応テーブルを含むプロキシサーバを更に有し、
携帯端末は、
サイトページのリファレンス情報を検索するためのクエリ情報を保持し、
自らの周辺のアクセスポイントをサーチすることによって、各アクセスポイントから、当該アクセスポイントのアドレスを含む報知信号を受信する報知信号受信手段と、
報知信号に含まれた複数のアクセスポイントのアドレスを含むページ取得要求を、プロキシサーバへ送信する第１のページ取得要求送信手段と、
リスト情報について、複数のサイトページのアドレスを、クエリ情報に関連するリファレンス情報を有するものから順に並べ、当該リスト情報をユーザに明示し、１つ以上のアドレスを宛先とする各ページ取得要求を、それぞれのサイトサーバへ送信する第２のページ取得要求送信手段と
を有し、
プロキシサーバは、
アドレス対応テーブルを用いて、ページ取得要求に含まれる各アクセスポイントのアドレスに対応したサイトページのアドレスを検索するアドレス検索手段と、
検索した複数の各サイトページのアドレスに、サイトページのリファレンス情報を対応付けたリスト情報を生成するリスト情報生成手段と、
リスト情報を携帯端末へ応答するリスト情報応答手段と
を有することを特徴とする。
【００４３】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおいて、
広域ネットワークに接続され、アクセスポイントのアドレス及びサイトページのアドレスの組毎に対応付けて記憶したアドレス対応テーブルを含むプロキシサーバを更に有し、
携帯端末は、
サイトページを検索するためのクエリ情報を保持し、
自らの周辺のアクセスポイントをサーチすることによって、各アクセスポイントから、当該アクセスポイントのアドレスを含む報知信号を受信する報知信号受信手段と、
報知信号に含まれた複数のアクセスポイントのアドレスを含むページ取得要求を、プロキシサーバへ送信する第１のページ取得要求送信手段と、
リスト情報について、複数のサイトページのアドレスを、クエリ情報に関連するリファレンス情報を有するものから順に並べ、当該リスト情報をユーザに明示し、１つ以上のアドレスを宛先とする各ページ取得要求を、それぞれのサイトサーバへ送信する第２のページ取得要求送信手段と
を有し、
プロキシサーバは、
アドレス対応テーブルを用いて、ページ取得要求に含まれる各アクセスポイントのアドレスに対応したサイトページのアドレスを検索するアドレス検索手段と、
検索したアドレスのサイトページ内のコンテンツをリファレンス情報として取得し、複数の各サイトページのアドレスに、当該サイトページのリファレンス情報を対応付けたリスト情報を生成するリスト情報生成手段と、
リスト情報を携帯端末へ応答するリスト情報応答手段と
を有することを特徴とする。
【発明の効果】
【００４４】
本発明の方法及びシステムによれば、複数のアクセスポイントが発見されるような位置であっても、ユーザが何ら選択することなく、現在位置に基づくサイトページの中で所望条件の情報を携帯端末へ提供することができる。
【図面の簡単な説明】
【００４５】
【図１】従来技術におけるシステム構成図である。
【図２】本発明におけるシステム構成図である。
【図３】本発明における第１の実施形態のシーケンス図である。
【図４】リスト情報としてのＨＴＭＬソースプログラムの簡単な例である。
【図５】本発明における第２の実施形態におけるシーケンス図である。
【図６】本発明におけるクエリ情報及びリファレンス情報を表す説明図である。
【図７】本発明における課金制御サーバの機能説明図である。
【図８】本発明におけるプロキシサーバ及び携帯端末の機能構成図である。
【発明を実施するための形態】
【００４６】
以下、本発明の実施の形態について、図面を用いて詳細に説明する。
【００４７】
図２は、本発明におけるシステム構成図である。
【００４８】
図２によれば、図１と同様に、店舗Ａ〜Ｃ内にはそれぞれ、アクセスポイント５Ａ〜５Ｃが設置されている。各アクセスポイントには、固有のＭＡＣ(Media Access Control)アドレスと、ユーザによって付与されたＳＳＩＤ(Service Set IDentifier)とが割り当てられている。一般に、携帯端末２を操作するユーザは、ＳＳＩＤを認識して、そのアクセスポイントへの接続を判断する。また、同様に、各店舗Ａ〜Ｃの広告媒体としてのサイトページも、インターネット上のＷｅｂサーバ３によって公開されている。サイトページには、アドレスとしてのＵＲＬ(Uniform Resource Locator)が割り当てられている。一般に、携帯端末２を操作するユーザは、そのＵＲＬを認識して、そのサイトページへのアクセスを判断する。
【００４９】
図２によれば、図１と比較して、「プロキシサーバ」１が、インターネット（広域ネットワーク）に接続されている。プロキシサーバ１は、ユーザによって所持される携帯端末２からアクセスされる。また、プロキシサーバ１は、以下のような「アドレス対応テーブル」を蓄積している。
［アドレス対応テーブル］
（ＵＲＬ１）<->（ＭＡＣアドレス１）<->（リファンレンス情報１）
（ＵＲＬ２）<->（ＭＡＣアドレス２）<->（リファンレンス情報２）
（ＵＲＬ３）<->（ＭＡＣアドレス３）<->（リファンレンス情報３）
・・・・・・・・・・・
【００５０】
アドレス対応テーブルには、アクセスポイントのアドレス及びサイトページのアドレスの組毎に、当該サイトページに関連する「リファレンス情報」が対応付けられている。リファレンス情報とは、例えば「更新時刻」「メッセージ・キーワード群」「画像」「位置情報」「移動速度」、「気温・気圧・湿度」及び／又は「音声データ」のようなものである（後述する図６参照）。ここで、「サイトページに関連するリファレンス情報」とは、そのサイトページのアドレスそのものに限定されず、そのサイトページと同一階層内のページコンテンツ、及び、そのサイトページの下位層にリンクするページコンテンツも含むものとする。
【００５１】
尚、アドレス対応テーブルについて、ＵＲＬに紐付けられるものは、ＭＡＣアドレスでもＳＳＩＤでもいずれでもよいが、グローバルに固有に割り当てられるものとしてＭＡＣアドレスの方が好ましい。ＳＳＩＤの場合、同一ものが発見される場合があるためである。
【００５２】
また、図２によれば、図１と比較して、「課金制御サーバ」６も、インターネットに接続されている。課金制御サーバ６は、サイトページの公開者に基づく口座情報と、プロキシサーバの運用者に基づく口座情報とを管理するものである。課金制御サーバ６は、本発明のシーケンスが実行された際に、サイトページの公開者（店舗の運営者）が、広告料としての一定の代金を、プロキシサーバの運用者（本発明のサービス運用者）へ支払うようなビジネスモデルを実現することができる。
【００５３】
図３は、本発明における第１の実施形態のシーケンス図である。
【００５４】
（Ｓ１）携帯端末２は、無線ＬＡＮの通信インタフェースをオンにし、自らの周辺のアクセスポイントをサーチする。各店舗Ａ〜Ｃに設置されたアクセスポイント５Ａ〜５Ｃは、常時、自らのアドレス（ＭＡＣアドレス及びＳＳＩＤ）を含むビーコン信号（報知信号）を放送している。携帯端末２は、そのビーコン信号を受信することによって、自らの周辺に、アクセスポイント５Ａ〜５Ｃが存在していることを認識する。
【００５５】
又は、携帯端末２は、自らの周辺へ向けてプローブリクエストを放送し、そのプローブリクエストを受信したアクセスポイントからプローブレスポンスを受信するものであってもよい。同様に、携帯端末２は、そのプローブレスポンスを受信することによって、自らの周辺に、アクセスポイント５Ａ〜５Ｃが存在していることを認識する。
【００５６】
ここで、アクセスポイント５Ａ〜５Ｃが必ずしも、アクセスネットワークを介してインターネットに接続されていることを要しない。アクセスポイント５Ａ〜５Ｃは、少なくともビーコン信号又はプローブレスポンスを送信するものであればよい。アクセスポイントは、本発明の特徴ある構成要素ではなく、既存のものに過ぎない。
【００５７】
（Ｓ２）携帯端末２は、以下の情報を含む「ページ取得要求」を生成する。
・「複数のアクセスポイントのアドレス」
（ビーコン信号又はプローブレスポンスによって取得されたもの）
・「クエリ情報」
（サイトページのリファレンス情報を検索するためのもの）
ここで、「クエリ情報」も、リファレンス情報に対応する例えば「更新時刻」「メッセージ・キーワード群」「画像」「位置情報」「移動速度」、「気温・気圧・湿度」及び／又は「音声データ」のようなものである（後述する図６参照）。
【００５８】
図３によれば、ページ取得要求は、アクセスポイント５Ａ〜５Ｃの３つのアドレスと、ユーザ所望のクエリ情報とを含んでいる。尚、これらアドレスは、ページ取得要求の宛先となるものではなく、ページ取得要求のデータ部分に含められるものである。ページ取得要求は、ＨＴＴＰ(HyperText Transport Protocol)に基づくＧＥＴリクエストである。そして、携帯端末２は、そのページ取得要求を、プロキシサーバ１へ送信する。
【００５９】
尚、携帯端末２にとって、プロキシサーバ１のＵＲＬは既知であるとする。また、図３によれば、ページ取得要求のデータ部分に、アクセスポイント５Ａ〜５Ｃの３つのＭＡＣアドレスが含められている。
【００６０】
（Ｓ３）プロキシサーバ１は、「アドレス対応テーブル」を用いて、ページ取得要求に含まれる各アクセスポイントのアドレス（例えばＭＡＣアドレス又はＳＳＩＤ）に対応したサイトページのアドレス（ＵＲＬ）を検索する。図３によれば、アクセスポイント５Ａ〜５Ｃの３つの各ＭＡＣアドレスに対して、以下のように、３つのサイトページのＵＲＬが検索される。
http://www.AAA.com/    （店舗Ａのサイトページのアドレス）
http://www.BBB.com/    （店舗Ｂのサイトページのアドレス）
http://www.CCC.com/    （店舗Ｃのサイトページのアドレス）
【００６１】
（Ｓ４）プロキシサーバ１は、以下の２つの実施形態によって、リスト情報を生成する。
（１）プロキシサーバ１は、検索した複数のサイトページのアドレスを、クエリ情報に関連するリファレンス情報を有するものから順に並べたリスト情報を生成する。ここでは、アドレス対応テーブルが、リファレンス情報を既に蓄積している場合である。
（２）プロキシサーバ１は、検索したアドレスのサイトページ内のコンテンツをリファレンス情報としてクエリ情報を用いて検索し、複数のサイトページのアドレスを、クエリ情報に関連するリファレンス情報を有するものから順に並べたリスト情報を生成する。ここでは、アドレス対応テーブルが、リファレンス情報を蓄積していない場合である。即ち、プロキシサーバ１は、携帯端末２からページ取得要求を受信した際に、リアルタイムに、そのサイトサーバのコンテンツをリファレンス情報として取得する。尚、「サイトページ内のコンテンツ」とは、そのサイトページのアドレス内のコンテンツそのものに限定されず、そのサイトページと同一階層内のページコンテンツ、及び、そのサイトページの下位層にリンクするページコンテンツも含むものとする。
【００６２】
リスト情報は、複数のサイトページのアドレスを並べたものであるが、ＨＴＭＬ(HyperText Markup Language)ソースプログラムに構成したものであってもよい。図３によれば、リスト情報は、サイトページのアドレスが以下のように並べ替えられている。
店舗名Ｂのサイトページ＝”http://www.BBB.com”
店舗名Ｃのサイトページ＝”http://www.CCC.com”
店舗名Ａのサイトページ＝”http://www.AAA.com”
【００６３】
図４は、リスト情報としてのＨＴＭＬソースプログラムの簡単な例である。
【００６４】
図４（ａ）のＨＴＭＬソースプログラムは、クエリ情報に基づいて、店舗名Ｂ＝”BBB”、店舗名Ｃ＝”CCC”、店舗名Ａ＝”AAA”をタブとして並べてブラウザに表示すると共に、そのタブはユーザによってクリック（選択）される。いずれか１つのタブをユーザがクリックした際に、そのタブに対応するサイトページを、ブラウザに表示する。
【００６５】
図４（ｂ）のＨＴＭＬソースプログラムは、クエリ情報に基づいて、全てのサイトページを順に並べてブラウザに表示する。
店舗名Ｂのサイトページ＝”http://www.BBB.com”
店舗名Ｃのサイトページ＝”http://www.CCC.com”
店舗名Ａのサイトページ＝”http://www.AAA.com”、
尚、図４（ｂ）のソースプログラムの場合、ユーザがクリックすることなく、全てのサイトページが横長で且つ縦方向に並んで表示される。
【００６６】
（Ｓ５）プロキシサーバ１は、生成したＨＴＭＬソースプログラム（リスト情報）を、携帯端末２へ応答する。リスト情報としてのＨＴＭＬソースプログラムは、「ページ応答」、即ちＨＴＴＰに基づくＧＥＴレスポンスに含められる。
【００６７】
（Ｓ６）携帯端末２は、例えばスマートフォンやタブレット端末であって、ＷＷＷブラウザを予めインストールしたものである。そのために、ページ応答に含まれるＨＴＭＬソースプログラム（リスト情報）を直ぐにレンダリングして、ブラウザに表示することができる。ユーザは、携帯端末２に表示されたサイトページのリストの中で、店舗毎のメッセージも閲覧することができる。このとき、ユーザは、並べられたサイトページのリストの中で、上位のサイトページに基づく店舗ほど、所望の情報が表示されていると認識することができる。即ち、ユーザは、自らの周辺に存在する店舗の中でも、所望の情報を表示している店舗から順に、自ら所望する店舗を一見して探すことができる。
【００６８】
ここで、図４（ａ）のＨＴＭＬソースプログラムの場合、ユーザは、携帯端末２のディスプレイに表示されたリスト情報を閲覧しながら、所望のページのアドレス（タブ）をクリックすることができる。また、図４（ｂ）のＨＴＭＬソースプログラムの場合、ユーザが暗黙的に、３つ全てのページのアドレス（タブ）をクリックしたことと同じ動作となる。
【００６９】
（Ｓ７）携帯端末２は、ユーザによって選択されたサイトページのアドレスを宛先としたページ取得要求（ＧＥＴリクエスト）を、その店舗のサイトページを蓄積するＷｅｂサーバへ送信する。図３によれば、ユーザは、店舗Ｂのアドレスをクリックしており、この場合、携帯端末２は、店舗名Ｂのサイトページ＝”http://www.BBB.com”を宛先としたＧＥＴリクエストを送信する。
【００７０】
（Ｓ８）これに対し、店舗名Ｂのサイトページを蓄積したＷｅｂサーバは、携帯端末２へ、店舗名Ｂのサイトページを含むページ応答を返信する。これによって、携帯端末２には、店舗Ｂのサイトページがブラウジングされ、ユーザが閲覧することができる。
【００７１】
図５は、本発明における第２の実施形態におけるシーケンス図である。
【００７２】
図５によれば、図３と比較して、Ｓ４及びＳ６のみが異なる。即ち、クエリ情報に基づくサイトページのＵＲＬの並び替えが、図３によればプロキシサーバ１で実行されているのに対し、図５によれば端末２で実行されている。
【００７３】
（Ｓ４）プロキシサーバ１が、検索した複数の各サイトページのアドレスに、当該サイトページのリファレンス情報を対応付けたリスト情報を生成する。図５によれば、図３と比較して、プロキシサーバ１は、サイトページのアドレス（ＵＲＬ）のリスト情報を生成するだけである。Ｓ５では、そのリスト情報のみが、携帯端末２へ送信される。
【００７４】
（Ｓ６）携帯端末２は、受信したリスト情報について、複数のサイトページのアドレスを、クエリ情報に関連するリファレンス情報を有するものから順に並べる。次に、そのリスト情報に基づくＨＴＭＬソースプログラムを生成する。そして、携帯端末２は、そのＨＴＭＬソースプログラムを直ぐにレンダリングして、ブラウザに表示する。近年のスマートフォンやタブレット端末は演算処理能力が高いので、携帯端末２は、ＨＴＭＬソースプログラムを生成することに対する処理負担は少ない。また、プロキシサーバ１と携帯端末２との間のページ応答のデータ量を減らすことによって、通信をできる限り高速に実行することができる。
【００７５】
図６は、本発明におけるクエリ情報及びリファレンス情報を表す説明図である。
【００７６】
図６によれば、クエリ情報及びリファレンス情報として、例えば以下のように「更新時刻」「メッセージ・キーワード群」「画像」「位置情報」「移動速度」「気温・気圧・湿度」及び／又は「音声データ」のような要素がある。
【００７７】
［更新時刻］
リファレンス情報は、当該サイトページに関連する「更新時刻」であり、例えば以下のようなものである。
（１）サイトページ自体の更新時刻
（２）アドレス対応テーブルに当該アドレスが登録された更新時刻
（３）「リファレンス情報」の更新時刻
これに対し、クエリ情報は、ユーザによって指定された「順序指定情報」である。例えば以下のようなものである。
（１）更新時刻が新しい順
（２）更新時刻が○月○日○時以降の古い順
図３のＳ４又は図５のＳ６によれば、プロキシサーバ１又は携帯端末２は、検索した複数のサイトページのアドレスを、クエリ情報の順序指定情報に従ってリファレンス情報の更新時刻に応じた順に並べたリスト情報を生成する。
【００７８】
［メッセージ・キーワード群］
リファレンス情報は、当該サイトページに関連する「メッセージ又はキーワード群」であり、例えば以下のようなものである。
（１）例えば「安い居酒屋！」「今日入荷・新鮮刺身」「イタリア料理がうまい」のように、客引きのための「メッセージ」
（２）例えば「居酒屋」「安い」「刺身」「イタリア料理」のような「キーワード群」
このような「メッセージ・キーワード群」は、プロキシサーバ１のアドレス対応テーブルに、例えば以下のような方法で登録される。
（１）サイトページを所有するユーザによって登録される。
（２）当該サイトページのテキストから抽出されたものである。
例えばサイトページの長文のテキストであっても、形態素解析によって形態素に区分し、出現頻度の高い上位数十件程度の形態素を「キーワード群」として登録することができる。
これに対し、クエリ情報は、ユーザによって指定されたキーワードである。ここで、ユーザが、携帯端末２に搭載されたマイクに対して音声を吹き込むことによって、その音声データからキーワードへ変換されるものであってもよい。既存のスマートフォンにおける音声認識を用いた検索インタフェースと同じものである。
図３のＳ４又は図５のＳ６によれば、プロキシサーバ１又は携帯端末２は、検索した複数のサイトページのアドレスを、クエリ情報のキーワードを多く含むリファレンス情報のメッセージ又はキーワード群に応じた順に並べたリスト情報を生成する。
【００７９】
［画像］
リファレンス情報は、当該サイトページに関連する「画像」である。
これに対し、クエリ情報は、ユーザによって指定された「画像」である。
このような「画像」は、プロキシサーバ１のアドレス対応テーブルに、例えば以下のような方法で登録される。
（１）サイトページを所有するユーザによって登録される。
（２）当該サイトページの画像から取得されたものである。
図３のＳ４又は図５のＳ６によれば、プロキシサーバ１又は携帯端末２は、検索した複数のサイトページのアドレスを、クエリ情報の画像に対してリファレンス情報の画像の類似度が高いものから順に並べたリスト情報を生成する。
尚、画像の類似度を算出方法としては、最も基礎的にはＲＧＢの色情報に基づくものや、その他多数の技術を適用できる。
【００８０】
［位置情報］
リファレンス情報は、当該サイトページに関連する「位置情報」である。例えば「住所」「緯度・経度」又は「周辺基地局ＩＤ(IDentifier)」であってもよい。
これに対し、クエリ情報は、携帯端末における位置情報である。携帯端末２は、例えばユーザ指定、ＧＰＳ測位方式又は基地局測位方式によって、位置情報を予め取得する。
「ユーザ指定」：例えばユーザの自宅住所や勤務先居所
「ＧＰＳ測位方式」：携帯端末にＧＰＳ機能が搭載され、衛星電波によって測位
「基地局測位方式」：携帯電話網の基地局から制御信号によって、大まかな位置を測位
図３のＳ４又は図５のＳ６によれば、プロキシサーバ１又は携帯端末２は、検索した複数のサイトページのアドレスを、クエリ情報の位置情報に対してリファレンス情報の位置情報が近いものから順に並べたリスト情報を生成する。
【００８１】
［移動速度］
リファレンス情報は、当該サイトページに関連する「移動速度範囲」である。例えば以下のような移動速度範囲が設定されている。
「徒歩」  ：××km/h〜××km/h
「自動車」：××km/h〜××km/h
「電車」  ：××km/h〜××km/h
・・・・・
これに対し、クエリ情報は、携帯端末によって計測された移動速度である。携帯端末２は、ＧＰＳ測位方式又はセンサ測位方式によって移動速度を予め取得している。ＧＰＳ測位方式の場合、少なくとも２つの時点で緯度・経度を測位し、その距離を時間で除算することによって移動速度を算出する。また、センサ測位方式の場合、例えば加速度センサを用いて歩数計測によって移動速度を算出することもできる。
図３のＳ４又は図５のＳ６によれば、プロキシサーバ１又は携帯端末２は、検索した複数のサイトページのアドレスを、クエリ情報の移動速度に対してリファレンス情報の移動速度範囲が含まれるものから順に並べたリスト情報を生成する。
例えば、徒歩で来店する客を集客したい店舗の場合、移動速度が徒歩のように遅い携帯端末に対してのみ、その店舗のサイトページを閲覧できるようにする。一方で、自動車で来店する客を集客したい店舗の場合、移動速度が自動車のように早い携帯端末に対してのみ、その店舗のサイトページを閲覧できるようにすることができる。
【００８２】
［気温・気圧・湿度］
リファレンス情報は、当該サイトページに関連する「気温範囲」「気圧範囲」及び／又は「湿度範囲」である。例えば以下のような気温範囲、気圧範囲及び／又は湿度範囲が設定されている。
「晴れ」：気温××°〜××°、気圧××Pa〜××Pa、湿度××%〜××%
「曇り」：気温××°〜××°、気圧××Pa〜××Pa、湿度××%〜××%
「雨」  ：気温××°〜××°、気圧××Pa〜××Pa、湿度××%〜××%
これに対し、クエリ情報は、携帯端末によって計測された気温、気圧及び／又は湿度である。携帯端末は、温度センサ、気圧センサ、湿度センサによって、気温、気圧及び／又は湿度を取得することができる。
図３のＳ４又は図５のＳ６によれば、プロキシサーバ１又は携帯端末２は、検索した複数のサイトページのアドレスを、クエリ情報の気温、気圧及び／又は湿度に対してリファレンス情報の気温範囲、気圧範囲及び／又は湿度範囲が含まれるものから順に並べたリスト情報を生成する。
例えば、晴れの日に来店する客を集客したい店舗の場合、気温、気圧及び湿度が「晴れ」の範囲に属する携帯端末に対してのみ、その店舗のサイトページを閲覧できるようにする。一方で、雨の日に来店する客を集客したい店舗の場合、気温、気圧及び湿度が「雨」の範囲に属する携帯端末に対してのみ、その店舗のサイトページを閲覧できるようにする。
【００８３】
尚、「更新時刻」「メッセージ・キーワード群」「画像」「位置情報」「移動速度」「気温・気圧・湿度」「音声データ」は、ＨＴＭＬソースプログラムの各サイトページに、更新時刻及びメッセージも対応付けて記述されていてもよい。
【００８４】
［音声データ］
リファレンス情報は、当該サイトページに関連する「音声データ」である。
これに対し、クエリ情報も、携帯端末によって予め取得された「音声データ」である。
図３のＳ４又は図５のＳ６によれば、プロキシサーバ１又は携帯端末２は、検索した複数のサイトページのアドレスを、クエリ情報の音声データに対してリファレンス情報の音声データの類似度が高いものから順に並べたリスト情報を生成する。
尚、音声データの類似度を算出方法としては、例えば音声データを周波数分析することによって比較するものや、その他多数の技術を適用できる。
【００８５】
図７は、本発明における課金制御サーバの機能説明図である。
【００８６】
課金制御サーバ６は、サイトページの公開者（店舗の運営者）が、広告料としての一定の代金を、プロキシサーバの運用者（本発明のサービス運用者）へ支払うようなビジネスモデルを実現する。以下では、２つのモデルシーケンスを説明する。
【００８７】
（第１のモデルシーケンス）
前述したＳ７について、携帯端末２は、ユーザにおけるリスト情報の中のいずれかのアドレスの選択によって、Ｗｅｂサーバ３へページ取得要求を送信する。このとき、携帯端末１は、「課金指示要求」を、課金制御サーバ６へ更に送信する。課金指示要求は、サイトページの公開者に基づく口座情報から所定金額情報を、プロキシサーバの運用者に基づく口座情報へ転送するべく指示するものである。
【００８８】
この課金指示要求を送信するべき制御コードは、Ｓ４におけるＨＴＭＬソースプログラムを生成する際に埋め込んでおくことが好ましい。例えば、携帯端末２が、以下のようなＵＲＬをプロキシサーバ１へ向けて送信するように制御コードを埋め込んでおくことも好ましい。
http://www.proxy.com/billing/AAA/PROXY/100
このＵＲＬは、プロキシサーバwww.proxy.comに対して、サイトページの公開者AAAに基づく口座情報から所定金額情報100円を、プロキシサーバの運用者PROXYに基づく口座情報へ転送するべく指示するものである。
【００８９】
（第２のモデルシーケンス）
プロキシサーバ１は、アドレス対応テーブルを記憶している。サイトページの公開者（店舗の運営者）が、このアクセス対応テーブルに、ＵＲＬ及びＭＡＣアドレスを追加的に登録した際に、プロキシサーバ１が、「課金指示要求」を課金制御サーバ６へ送信する。課金指示要求は、サイトページの公開者に基づく口座情報から所定金額情報を、プロキシサーバの運用者に基づく口座情報へ転送するべく指示するものである。この課金指示要求を送信するべき制御コードも、前述したＵＲＬと同様のものであってもよい。
【００９０】
図８は、本発明におけるプロキシサーバ及び携帯端末の機能構成図である。
【００９１】
［携帯端末２］
図８によれば、携帯端末２は、ハードウェアとして、無線ＬＡＮに接続する無線ＬＡＮインタフェース部と、タッチパネルディスプレイのようなユーザインタフェース部とを有する。また、携帯端末２は、クエリ情報入力部２１と、報知信号受信部２２と、第１のページ取得要求送信部２３と、第１のページ応答受信部２４と、リスト情報生成部２５と、アドレス選択部２６と、第２のページ取得要求送信部２７と、第２のページ応答受信部２８とを有する。これら機能構成部は、携帯端末に搭載されたコンピュータを機能させるプログラムを実行することによって実現される。
【００９２】
クエリ情報入力部２１は、ユーザインタフェース部や、各種センサから、前述した図６に対応するクエリ情報を取得する。これらクエリ情報は、第１のページ取得要求送信部２３へ出力される。
【００９３】
報知信号受信部２２は、自らの周辺のアクセスポイントをサーチすることによって、各アクセスポイントから、当該アクセスポイントのアドレスを含む報知信号を受信する（前述したＳ１参照）。報知信号に含まれるアドレスは、第１のページ取得要求送信部２３へ出力される。
【００９４】
第１のページ取得要求送信部２３は、報知信号に含まれた複数のアクセスポイントのアドレスとクエリ情報とを含むページ取得要求を、プロキシサーバ１へ送信する（前述したＳ２参照）。
【００９５】
第１のページ応答受信部２４は、プロキシサーバ１から、リスト情報を含むページ応答を受信する（前述したＳ６参照）。受信されたリスト情報は、リスト情報生成部２５へ出力される。
【００９６】
リスト情報生成部２５は、前述した図５のＳ６に対応する場合、受信したリスト情報について、複数のサイトページのアドレスを、クエリ情報に関連するリファレンス情報を有するものから順に並べる。そして、リスト情報からＨＴＭＬソースプログラムを生成する。ここで、リスト情報が、プロキシサーバ１によって既に生成されたＨＴＭＬソースプログラムである場合、何ら処理を実行しない。ＨＴＭＬソースプログラムは、アドレス選択部２６へ出力される。
【００９７】
アドレス選択部２６は、ＨＴＭＬソースプログラムをレンダリングし、ユーザインタフェース部２１を介してブラウザに表示する。ここで、ユーザによって、いずれかのサイトページのアドレスの選択（クリック）を待つ（前述したＳ６参照）。選択されたサイトページのアドレスは、第２のページ取得要求送信部２７へ出力される。尚、前述した図４（ｂ）のようなＨＴＭＬソースプログラムである場合、リスト情報の全てのサイトページが、ユーザによって選択されたものとして処理が実行される。
【００９８】
第２のページ取得要求送信部２７は、１つ以上のアドレスを宛先とする各ページ取得要求を、Ｗｅｂサーバ３へ送信する（前述したＳ７参照）。
【００９９】
第２のページ応答受信部２８は、Ｗｅｂサーバ３から、サイトページを含むページ応答を受信し、そのサイトページをレンダリングして、ユーザインタフェース部２１を介してユーザに閲覧させる（前述したＳ８参照）。
【０１００】
［プロキシサーバ１］
図８によれば、プロキシサーバ１は、ハードウェアとして、広域ネットワーク（インターネット）に接続する通信インタフェース部を有する。また、プロキシサーバ１は、アドレス対応テーブル蓄積部１１と、第１のページ取得要求部１２と、アドレス検索部１３と、リスト情報生成部１４と、第１のページ応答送信部１５とを有する。通信インタフェース部１０を除くこれら機能構成部は、サーバに搭載されたコンピュータを機能させるプログラムを実行することによって実現される。
【０１０１】
アドレス対応テーブル蓄積部１１は、アクセスポイントのアドレス及びサイトページのアドレスの組毎に、当該サイトページに関連するリファレンス情報を対応付けて記憶する（前述した図６参照）。尚、アドレス対応テーブル蓄積部１１が、リファンレンス情報を予め記憶しない場合、後述するリスト情報生成部１４が、リアルタイムに、そのサイトサーバのコンテンツをリファレンス情報として取得する。
【０１０２】
第１のページ取得要求部１２は、携帯端末２から、複数のアクセスポイントのアドレスを含むページ取得要求を受信する。受信されたアクセスポイントのアドレスは、アドレス検索部１２へ出力される。
【０１０３】
アドレス検索部１３は、アドレス対応テーブルを用いて、ページ取得要求に含まれる各アクセスポイントのアドレスに対応したサイトページのアドレスを検索する（前述したＳ３参照）。検索されたサイトページのアドレスは、リスト情報生成部１４へ出力される。
【０１０４】
リスト情報生成部１４は、前述した図３のＳ４に対応する場合、検索した複数のサイトページのアドレスを、クエリ情報に関連するリファレンス情報を有するものから順に並べたリスト情報を生成する。ここで、そのリスト情報から更にＨＴＭＬソースプログラムを生成するものであってもよい。また、前述した図５のＳ４に対応する場合、ここでは何ら処理を実行しない。生成されたＨＴＭＬソースプログラムは、第１のページ応答送信部１５へ出力される。
【０１０５】
また、アドレス対応テーブル蓄積部１１にリファレンス情報を含んでいない場合、リスト情報生成部１４は、検索したアドレスのサイトページ内のコンテンツをリファレンス情報としてクエリ情報を用いて検索する。即ち、携帯端末２からページ取得要求を受信した際に、リアルタイムに、そのサイトサーバのコンテンツをリファレンス情報として取得する。
【０１０６】
第１のページ応答送信部１５は、リスト情報を含むページ応答を、携帯端末２へ返信する（前述したＳ５参照）。
【０１０７】
以上、詳細に説明したように、本発明の方法及びシステムによれば、複数のアクセスポイントが発見されるような位置であっても、ユーザが何ら選択することなく、現在位置に基づくサイトページの中で所望条件の情報を携帯端末へ提供することができる。
【０１０８】
本発明の方法及びシステムによれば、例えばユーザが駅周辺で店舗を探そうとする場合に利用できる。携帯端末を所持するユーザにとっては、無線ＬＡＮの通信インタフェースをオンにし、自らの周辺のアクセスポイントをサーチするだけで、その位置周辺における様々な店舗のサイトページのアドレスの一覧を、所望の情報を表示している順に見ることができる。そこで、ユーザがいずれかのアドレスをクリックするだけで、その店舗のサイトページを閲覧することができる。一方で、店舗の運営者にとっては、本発明のプロキシサーバに、アクセスポイントのＭＡＣアドレス（又はＳＳＩＤ）とサイトページのＵＲＬとを登録しておくだけで、その店舗の近くに滞在する多数の人に対して、そのサイトページを閲覧させることができる。
【０１０９】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【０１１０】
１  プロキシサーバ
１０  通信インタフェース部
１１  アドレス対応テーブル蓄積部
１２  第１のページ取得要求送信部
１３  アドレス検索部
１４  リスト情報生成部
１５  第１のページ応答送信部
２  携帯端末
２１  クエリ情報入力部
２２  報知信号受信部
２３  第１のページ取得要求送信部
２４  第１のページ応答受信部
２５  リスト情報生成部
２６  アドレス選択部
２７  第２のページ取得要求送信部
２８  第２のページ応答受信部
３  Ｗｅｂサーバ
４  契約された基地局／アクセスポイント
５  アクセスポイント
６  課金制御サーバ
【図１】
2014232907.tif 000003
【図２】
2014232907.tif 000004
【図３】
2014232907.tif 000005
【図４】
2014232907.tif 000006
【図５】
2014232907.tif 000007
【図６】
2014232907.tif 000008
【図７】
2014232907.tif 000009
【図８】
2014232907.tif 000010
【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおけるページ取得方法において、
システムには、アクセスポイントのアドレス及びサイトページのアドレスの組毎に、当該サイトページに関連するリファレンス情報を対応付けて記憶したアドレス対応テーブルを含むプロキシサーバが、広域ネットワークに更に接続されており、
前記携帯端末が、自らの周辺のアクセスポイントをサーチすることによって、各アクセスポイントから、当該アクセスポイントのアドレスを含む報知信号を受信する第１のステップと、
前記携帯端末が、前記報知信号に含まれた複数のアクセスポイントのアドレスと、前記サイトページのリファレンス情報を検索するためのクエリ情報とを含むページ取得要求を、前記プロキシサーバへ送信する第２のステップと、
前記プロキシサーバが、前記アドレス対応テーブルを用いて、前記ページ取得要求に含まれる各アクセスポイントのアドレスに対応したサイトページのアドレスを検索する第３のステップと、
前記プロキシサーバが、検索した複数のサイトページのアドレスを、前記クエリ情報に関連する前記リファレンス情報を有するものから順に並べたリスト情報を生成する第４のステップと、
前記プロキシサーバが、前記リスト情報を前記携帯端末へ応答する第５のステップと、
前記携帯端末が、前記リスト情報をユーザに明示する第６のステップと、
を有することを特徴とするページ取得方法。
【請求項２】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおけるページ取得方法において、
システムには、アクセスポイントのアドレス及びサイトページのアドレスの組毎に対応付けて記憶したアドレス対応テーブルを含むプロキシサーバが、広域ネットワークに更に接続されており、
前記携帯端末が、自らの周辺のアクセスポイントをサーチすることによって、各アクセスポイントから、当該アクセスポイントのアドレスを含む報知信号を受信する第１のステップと、
前記携帯端末が、前記報知信号に含まれた複数のアクセスポイントのアドレスと、前記サイトページを検索するためのクエリ情報とを含むページ取得要求を、前記プロキシサーバへ送信する第２のステップと、
前記プロキシサーバが、前記アドレス対応テーブルを用いて、前記ページ取得要求に含まれる各アクセスポイントのアドレスに対応したサイトページのアドレスを検索する第３のステップと、
前記プロキシサーバが、検索したアドレスのサイトページ内のコンテンツをリファレンス情報として前記クエリ情報を用いて検索し、複数のサイトページのアドレスを、前記クエリ情報に関連する前記リファレンス情報を有するものから順に並べたリスト情報を生成する第４のステップと、
前記プロキシサーバが、前記リスト情報を前記携帯端末へ応答する第５のステップと、
前記携帯端末が、前記リスト情報をユーザに明示する第６のステップと、
を有することを特徴とするページ取得方法。
【請求項３】
第６のステップについて、前記リスト情報の１つ以上のアドレスを宛先とする各ページ取得要求を、それぞれのサイトサーバへ送信する
ことを特徴とする請求項１又は２に記載のページ取得方法。
【請求項４】
前記リファレンス情報は、当該サイトページに関連する更新時刻であり、
前記クエリ情報は、ユーザによって指定された順序指定情報であり、
第４のステップについて、前記プロキシサーバは、検索した複数のサイトページのアドレスを、前記クエリ情報の順序指定情報に従って前記リファレンス情報の更新時刻に応じた順に並べたリスト情報を生成する
ことを特徴とする請求項１から３のいずれか１項に記載のページ取得方法。
【請求項５】
前記リファレンス情報は、当該サイトページに関連するメッセージ又はキーワード群であり、
前記クエリ情報は、ユーザによって指定されたキーワードであり、
第４のステップについて、前記プロキシサーバは、検索した複数のサイトページのアドレスを、前記クエリ情報のキーワードを多く含む前記リファレンス情報のメッセージ又はキーワード群に応じた順に並べたリスト情報を生成する
ことを特徴とする請求項１から３のいずれか１項に記載のページ取得方法。
【請求項６】
前記リファレンス情報は、当該サイトページに関連する画像であり
前記クエリ情報は、ユーザによって指定された画像であり、
第４のステップについて、前記プロキシサーバは、検索した複数のサイトページのアドレスを、前記クエリ情報の画像に対して前記リファレンス情報の画像の類似度が高いものから順に並べたリスト情報を生成する
ことを特徴とする請求項１から３のいずれか１項に記載のページ取得方法。
【請求項７】
前記携帯端末は、ユーザ指定、ＧＰＳ(Global Positioning System)測位方式又は基地局測位方式によって位置情報を予め取得しており、
前記リファレンス情報は、当該サイトページに関連する位置情報であり、
前記クエリ情報は、前記携帯端末における位置情報であり、
第４のステップについて、前記プロキシサーバは、検索した複数のサイトページのアドレスを、前記クエリ情報の位置情報に対して前記リファレンス情報の位置情報が近いものから順に並べたリスト情報を生成する
ことを特徴とする請求項１から３のいずれか１項に記載のページ取得方法。
【請求項８】
前記携帯端末は、ＧＰＳ測位方式又はセンサ測位方式によって移動速度を予め取得しており、
前記リファレンス情報は、当該サイトページに関連する移動速度範囲であり、
前記クエリ情報は、前記携帯端末における移動速度であり、
第４のステップについて、前記プロキシサーバは、検索した複数のサイトページのアドレスを、前記クエリ情報の移動速度に対して前記リファレンス情報の移動速度範囲が含まれるものから順に並べたリスト情報を生成する
ことを特徴とする請求項１から３のいずれか１項に記載のページ取得方法。
【請求項９】
前記携帯端末は、センサによって、気温、気圧及び／又は湿度を予め取得しており、
前記リファレンス情報は、当該サイトページに関連する気温範囲、気圧範囲及び／又は湿度範囲であり、
前記クエリ情報は、前記携帯端末における気温、気圧及び／又は湿度であり、
第４のステップについて、前記プロキシサーバは、検索した複数のサイトページのアドレスを、前記クエリ情報の気温、気圧及び／又は湿度に対して前記リファレンス情報の気温範囲、気圧範囲及び／又は湿度範囲が含まれるものから順に並べたリスト情報を生成する
ことを特徴とする請求項１から３のいずれか１項に記載のページ取得方法。
【請求項１０】
前記リファレンス情報は、当該サイトページに関連する音声データであり、
前記クエリ情報は、前記携帯端末によって予め取得された音声データであり、
第４のステップについて、前記プロキシサーバは、検索した複数のサイトページのアドレスを、前記クエリ情報の音声データに対して前記リファレンス情報の音声データの類似度が高いものから順に並べたリスト情報を生成する
ことを特徴とする請求項１から３のいずれか１項に記載のページ取得方法。
【請求項１１】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおけるページ取得方法において、
システムには、アクセスポイントのアドレス及びサイトページのアドレスの組毎に、当該サイトページに関連するリファレンス情報を対応付けて記憶したアドレス対応テーブルを含むプロキシサーバが、広域ネットワークに更に接続されており、
前記携帯端末は、前記サイトページのリファレンス情報を検索するためのクエリ情報を保持し、
前記携帯端末が、自らの周辺のアクセスポイントをサーチすることによって、各アクセスポイントから、当該アクセスポイントのアドレスを含む報知信号を受信する第１のステップと、
前記携帯端末が、前記報知信号に含まれた複数のアクセスポイントのアドレスを含むページ取得要求を、前記プロキシサーバへ送信する第２のステップと、
前記プロキシサーバが、前記アドレス対応テーブルを用いて、前記ページ取得要求に含まれる各アクセスポイントのアドレスに対応したサイトページのアドレスを検索する第３のステップと、
前記プロキシサーバが、検索した複数の各サイトページのアドレスに、当該サイトページのリファレンス情報を対応付けたリスト情報を生成する第４のステップと、
前記プロキシサーバが、前記リスト情報を前記携帯端末へ応答する第５のステップと、
前記携帯端末が、前記リスト情報について、複数のサイトページのアドレスを、前記クエリ情報に関連する前記リファレンス情報を有するものから順に並べ、当該リスト情報をユーザに明示する第６のステップと、
を有することを特徴とするページ取得方法。
【請求項１２】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおけるページ取得方法において、
システムには、アクセスポイントのアドレス及びサイトページのアドレスの組毎に対応付けて記憶したアドレス対応テーブルを含むプロキシサーバが、広域ネットワークに更に接続されており、
前記携帯端末は、前記サイトページを検索するためのクエリ情報を保持し、
前記携帯端末が、自らの周辺のアクセスポイントをサーチすることによって、各アクセスポイントから、当該アクセスポイントのアドレスを含む報知信号を受信する第１のステップと、
前記携帯端末が、前記報知信号に含まれた複数のアクセスポイントのアドレスを含むページ取得要求を、前記プロキシサーバへ送信する第２のステップと、
前記プロキシサーバが、前記アドレス対応テーブルを用いて、前記ページ取得要求に含まれる各アクセスポイントのアドレスに対応したサイトページのアドレスを検索する第３のステップと、
前記プロキシサーバが、検索したアドレスのサイトページ内のコンテンツをリファレンス情報として取得し、複数の各サイトページのアドレスに、当該サイトページのリファレンス情報を対応付けたリスト情報を生成する第４のステップと、
前記プロキシサーバが、前記リスト情報を前記携帯端末へ応答する第５のステップと、
前記携帯端末が、前記リスト情報について、複数のサイトページのアドレスを、前記クエリ情報に関連する前記リファレンス情報を有するものから順に並べ、当該リスト情報をユーザに明示する第６のステップと、
を有することを特徴とするページ取得方法。
【請求項１３】
第６のステップについて、前記リスト情報の１つ以上のアドレスを宛先とする各ページ取得要求を、それぞれのサイトサーバへ送信する
ことを特徴とする請求項１１又は１２に記載のページ取得方法。
【請求項１４】
前記リファレンス情報は、当該サイトページに関連する更新時刻であり、
前記クエリ情報は、ユーザによって指定された順序指定情報であり、
第４のステップについて、前記プロキシサーバは、検索した複数のサイトページのアドレスを、前記クエリ情報の順序指定情報に従って前記リファレンス情報の更新時刻に応じた順に並べたリスト情報を生成する
ことを特徴とする請求項１１から１３のいずれか１項に記載のページ取得方法。
【請求項１５】
前記リファレンス情報は、当該サイトページに関連するメッセージ又はキーワード群であり、
前記クエリ情報は、ユーザによって指定されたキーワードであり、
第６のステップについて、前記携帯端末は、検索した複数のサイトページのアドレスを、前記クエリ情報のキーワードを多く含む前記リファレンス情報のメッセージ又はキーワード群から順に並べたリスト情報を生成する
ことを特徴とする請求項１１から１３のいずれか１項に記載のページ取得方法。
【請求項１６】
前記リファレンス情報は、当該サイトページに関連する画像であり
前記クエリ情報は、ユーザによって指定された画像であり、
第６のステップについて、前記携帯端末は、検索した複数のサイトページのアドレスを、前記クエリ情報の画像に対して前記リファレンス情報の画像の類似度が高いものから順に並べたリスト情報を生成する
ことを特徴とする請求項１１から１３のいずれか１項に記載のページ取得方法。
【請求項１７】
前記携帯端末は、ユーザ指定、ＧＰＳ測位方式又は基地局測位方式によって位置情報を予め取得しており、
前記リファレンス情報は、当該サイトページに関連する位置情報であり、
前記クエリ情報は、前記携帯端末における位置情報であり、
第６のステップについて、前記携帯端末は、検索した複数のサイトページのアドレスを、前記クエリ情報の位置情報に対して前記リファレンス情報の位置情報が近いものから順に並べたリスト情報を生成する
ことを特徴とする請求項１１から１３のいずれか１項に記載のページ取得方法。
【請求項１８】
前記携帯端末は、ＧＰＳ測位方式又はセンサ測位方式によって移動速度を予め取得しており、
前記リファレンス情報は、当該サイトページに関連する移動速度範囲であり、
前記クエリ情報は、前記携帯端末における移動速度であり、
第６のステップについて、前記携帯端末は、検索した複数のサイトページのアドレスを、前記クエリ情報の移動速度に対して前記リファレンス情報の移動速度範囲が含まれるものから順に並べたリスト情報を生成する
ことを特徴とする請求項１１から１３のいずれか１項に記載のページ取得方法。
【請求項１９】
前記携帯端末は、センサによって、気温、気圧及び／又は湿度を予め取得しており、
前記リファレンス情報は、当該サイトページに関連する気温範囲、気圧範囲及び／又は湿度範囲であり、
前記クエリ情報は、前記携帯端末における気温、気圧及び／又は湿度であり、
第６のステップについて、前記携帯端末は、検索した複数のサイトページのアドレスを、前記クエリ情報の気温、気圧及び／又は湿度に対して前記リファレンス情報の気温範囲、気圧範囲及び／又は湿度範囲が含まれるものから順に並べたリスト情報を生成する
ことを特徴とする請求項１１から１３のいずれか１項に記載のページ取得方法。
【請求項２０】
前記リファレンス情報は、当該サイトページに関連する音声データであり、
前記クエリ情報は、前記携帯端末によって予め取得された音声データであり、
第４のステップについて、前記プロキシサーバは、検索した複数のサイトページのアドレスを、前記クエリ情報の音声データに対して前記リファレンス情報の音声データの類似度が高いものから順に並べたリスト情報を生成する
ことを特徴とする請求項１１から１３のいずれか１項に記載のページ取得方法。
【請求項２１】
前記リスト情報は、複数のサイトページのアドレスを並べたＷｅｂページであって、
前記サイトページのアドレスは、ＵＲＬ(Uniform Resource Locator)であり、
前記アクセスポイントのアドレスは、ＭＡＣ(Media Access Control)アドレス又はＳＳＩＤ(Service Set IDentifier))である
ことを特徴とする請求項１から２０のいずれか１項に記載のページ取得方法。
【請求項２２】
第１のステップについて、前記携帯端末が、前記アクセスポイントから受信する報知信号は、無線ＬＡＮのビーコン信号又はプローブレスポンスであり、
第２のステップについて、前記ページ取得要求は、ＨＴＴＰ(HyperText Transport Protocol)に基づくＧＥＴリクエストである
ことを特徴とする請求項１から２１のいずれか１項に記載のページ取得方法。
【請求項２３】
前記広域ネットワークに、課金制御サーバが更に接続されており、
前記課金制御サーバは、前記サイトページの公開者に基づく口座情報と、前記プロキシサーバの運用者に基づく口座情報とを管理しており、
前記携帯端末は、前記リスト情報のいずれかのアドレスの選択によって前記サイトサーバへページ取得要求を送信した際に、前記携帯端末は、前記サイトページの公開者に基づく口座情報から所定金額情報を、前記プロキシサーバの運用者に基づく口座情報へ転送するべく指示する課金指示要求を、前記課金制御サーバへ送信する
ことを特徴とする請求項１から２２のいずれか１項に記載のページ取得方法。
【請求項２４】
前記プロキシサーバは、前記アドレス対応テーブルに対して、アクセスポイントのアドレスにサイトページのアドレスが追加された際に、前記プロキシサーバは、前記サイトページの公開者に基づく口座情報から所定金額情報を、前記プロキシサーバの運用者に基づく口座情報へ転送するべく指示する課金指示要求を、前記課金制御サーバへ送信する
ことを特徴とする請求項２３に記載のページ取得方法。
【請求項２５】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおいて、
広域ネットワークに接続され、アクセスポイントのアドレス及びサイトページのアドレスの組毎に、当該サイトページに関連するリファレンス情報を対応付けて記憶したアドレス対応テーブルを含むプロキシサーバを更に有し、
前記携帯端末は、
自らの周辺のアクセスポイントをサーチすることによって、各アクセスポイントから、当該アクセスポイントのアドレスを含む報知信号を受信する報知信号受信手段と、
前記報知信号に含まれた複数のアクセスポイントのアドレスと、前記サイトページのリファレンス情報を検索するためのクエリ情報とを含むページ取得要求を、前記プロキシサーバへ送信する第１のページ取得要求送信手段と、
前記リスト情報をユーザに明示する第２のページ取得要求送信手段と
を有し、
前記プロキシサーバは、
前記アドレス対応テーブルを用いて、前記ページ取得要求に含まれる各アクセスポイントのアドレスに対応したサイトページのアドレスを検索するアドレス検索手段と、
検索した複数のサイトページのアドレスを、前記クエリ情報に関連する前記リファレンス情報を有するものから順に並べたリスト情報を生成するリスト情報生成手段と、
前記リスト情報を前記携帯端末へ応答するリスト情報応答手段と
を有することを特徴とするシステム。
【請求項２６】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおいて、
広域ネットワークに接続され、アクセスポイントのアドレス及びサイトページのアドレスの組毎に対応付けて記憶したアドレス対応テーブルを含むプロキシサーバを更に有し、
前記携帯端末は、
自らの周辺のアクセスポイントをサーチすることによって、各アクセスポイントから、当該アクセスポイントのアドレスを含む報知信号を受信する報知信号受信手段と、
前記報知信号に含まれた複数のアクセスポイントのアドレスと、前記サイトページを検索するためのクエリ情報とを含むページ取得要求を、前記プロキシサーバへ送信する第１のページ取得要求送信手段と、
前記リスト情報をユーザに明示する第２のページ取得要求送信手段と
を有し、
前記プロキシサーバは、
前記アドレス対応テーブルを用いて、前記ページ取得要求に含まれる各アクセスポイントのアドレスに対応したサイトページのアドレスを検索するアドレス検索手段と、
検索したアドレスのサイトページ内のコンテンツをリファレンス情報として前記クエリ情報を用いて検索し、複数のサイトページのアドレスを、前記クエリ情報に関連する前記リファレンス情報を有するものから順に並べたリスト情報を生成するリスト情報生成手段と、
前記リスト情報を前記携帯端末へ応答するリスト情報応答手段と
を有することを特徴とするシステム。
【請求項２７】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおいて、
広域ネットワークに接続され、アクセスポイントのアドレス及びサイトページのアドレスの組毎に、当該サイトページに関連するリファレンス情報を対応付けて記憶したアドレス対応テーブルを含むプロキシサーバを更に有し、
前記携帯端末は、
前記サイトページのリファレンス情報を検索するためのクエリ情報を保持し、
自らの周辺のアクセスポイントをサーチすることによって、各アクセスポイントから、当該アクセスポイントのアドレスを含む報知信号を受信する報知信号受信手段と、
前記報知信号に含まれた複数のアクセスポイントのアドレスを含むページ取得要求を、前記プロキシサーバへ送信する第１のページ取得要求送信手段と、
リスト情報について、複数のサイトページのアドレスを、前記クエリ情報に関連する前記リファレンス情報を有するものから順に並べ、当該リスト情報をユーザに明示する第２のページ取得要求送信手段と
を有し、
前記プロキシサーバは、
前記アドレス対応テーブルを用いて、前記ページ取得要求に含まれる各アクセスポイントのアドレスに対応したサイトページのアドレスを検索するアドレス検索手段と、
検索した複数の各サイトページのアドレスに、前記サイトページのリファレンス情報を対応付けたリスト情報を生成するリスト情報生成手段と、
前記リスト情報を前記携帯端末へ応答するリスト情報応答手段と
を有することを特徴とするシステム。
【請求項２８】
広域ネットワークに接続された複数のサイトサーバと、自らのアドレスを含む報知信号を送信するアクセスポイントと、前記広域ネットワークに接続することによってサイトサーバからページを取得する携帯端末とを有するシステムにおいて、
広域ネットワークに接続され、アクセスポイントのアドレス及びサイトページのアドレスの組毎に対応付けて記憶したアドレス対応テーブルを含むプロキシサーバを更に有し、
前記携帯端末は、
前記サイトページを検索するためのクエリ情報を保持し、
自らの周辺のアクセスポイントをサーチすることによって、各アクセスポイントから、当該アクセスポイントのアドレスを含む報知信号を受信する報知信号受信手段と、
前記報知信号に含まれた複数のアクセスポイントのアドレスを含むページ取得要求を、前記プロキシサーバへ送信する第１のページ取得要求送信手段と、
リスト情報について、複数のサイトページのアドレスを、前記クエリ情報に関連するリファレンス情報を有するものから順に並べ、当該リスト情報をユーザに明示する第２のページ取得要求送信手段と
を有し、
前記プロキシサーバは、
前記アドレス対応テーブルを用いて、前記ページ取得要求に含まれる各アクセスポイントのアドレスに対応したサイトページのアドレスを検索するアドレス検索手段と、
検索したアドレスのサイトページ内のコンテンツをリファレンス情報として取得し、複数の各サイトページのアドレスに、当該サイトページのリファレンス情報を対応付けたリスト情報を生成するリスト情報生成手段と、
前記リスト情報を前記携帯端末へ応答するリスト情報応答手段と
を有することを特徴とするシステム。
【手続補正２】
【補正対象書類名】明細書
【補正対象項目名】００１８
【補正方法】変更
【補正の内容】
【００１８】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおけるページ取得方法において、
システムには、アクセスポイントのアドレス及びサイトページのアドレスの組毎に、当該サイトページに関連するリファレンス情報を対応付けて記憶したアドレス対応テーブルを含むプロキシサーバが、広域ネットワークに更に接続されており、
携帯端末が、自らの周辺のアクセスポイントをサーチすることによって、各アクセスポイントから、当該アクセスポイントのアドレスを含む報知信号を受信する第１のステップと、
携帯端末が、報知信号に含まれた複数のアクセスポイントのアドレスと、サイトページのリファレンス情報を検索するためのクエリ情報とを含むページ取得要求を、プロキシサーバへ送信する第２のステップと、
プロキシサーバが、アドレス対応テーブルを用いて、ページ取得要求に含まれる各アクセスポイントのアドレスに対応したサイトページのアドレスを検索する第３のステップと、
プロキシサーバが、検索した複数のサイトページのアドレスを、クエリ情報に関連するリファレンス情報を有するものから順に並べたリスト情報を生成する第４のステップと、
プロキシサーバが、リスト情報を携帯端末へ応答する第５のステップと、
携帯端末が、リスト情報をユーザに明示する第６のステップと、
を有することを特徴とする。
【手続補正３】
【補正対象書類名】明細書
【補正対象項目名】００１９
【補正方法】変更
【補正の内容】
【００１９】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおけるページ取得方法において、
システムには、アクセスポイントのアドレス及びサイトページのアドレスの組毎に対応付けて記憶したアドレス対応テーブルを含むプロキシサーバが、広域ネットワークに更に接続されており、
携帯端末が、自らの周辺のアクセスポイントをサーチすることによって、各アクセスポイントから、当該アクセスポイントのアドレスを含む報知信号を受信する第１のステップと、
携帯端末が、報知信号に含まれた複数のアクセスポイントのアドレスと、サイトページを検索するためのクエリ情報とを含むページ取得要求を、プロキシサーバへ送信する第２のステップと、
プロキシサーバが、アドレス対応テーブルを用いて、ページ取得要求に含まれる各アクセスポイントのアドレスに対応したサイトページのアドレスを検索する第３のステップと、
プロキシサーバが、検索したアドレスのサイトページ内のコンテンツをリファレンス情報としてクエリ情報を用いて検索し、複数のサイトページのアドレスを、クエリ情報に関連するリファレンス情報を有するものから順に並べたリスト情報を生成する第４のステップと、
プロキシサーバが、リスト情報を携帯端末へ応答する第５のステップと、
携帯端末が、リスト情報をユーザに明示する第６のステップと、
を有することを特徴とする。
尚、前述した２つのページ取得方法について、第６のステップは、リスト情報の１つ以上のアドレスを宛先とする各ページ取得要求を、それぞれのサイトサーバへ送信することも好ましい。
【手続補正４】
【補正対象書類名】明細書
【補正対象項目名】００２７
【補正方法】変更
【補正の内容】
【００２７】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおけるページ取得方法において、
システムには、アクセスポイントのアドレス及びサイトページのアドレスの組毎に、当該サイトページに関連するリファレンス情報を対応付けて記憶したアドレス対応テーブルを含むプロキシサーバが、広域ネットワークに更に接続されており、
携帯端末は、サイトページのリファレンス情報を検索するためのクエリ情報を保持し、
携帯端末が、自らの周辺のアクセスポイントをサーチすることによって、各アクセスポイントから、当該アクセスポイントのアドレスを含む報知信号を受信する第１のステップと、
携帯端末が、報知信号に含まれた複数のアクセスポイントのアドレスを含むページ取得要求を、プロキシサーバへ送信する第２のステップと、
プロキシサーバが、アドレス対応テーブルを用いて、ページ取得要求に含まれる各アクセスポイントのアドレスに対応したサイトページのアドレスを検索する第３のステップと、
プロキシサーバが、検索した複数の各サイトページのアドレスに、当該サイトページのリファレンス情報を対応付けたリスト情報を生成する第４のステップと、
プロキシサーバが、リスト情報を携帯端末へ応答する第５のステップと、
携帯端末が、リスト情報について、複数のサイトページのアドレスを、クエリ情報に関連するリファレンス情報を有するものから順に並べ、当該リスト情報をユーザに明示する第６のステップと、
を有することを特徴とする。
【手続補正５】
【補正対象書類名】明細書
【補正対象項目名】００２８
【補正方法】変更
【補正の内容】
【００２８】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおけるページ取得方法において、
システムには、アクセスポイントのアドレス及びサイトページのアドレスの組毎に対応付けて記憶したアドレス対応テーブルを含むプロキシサーバが、広域ネットワークに更に接続されており、
携帯端末は、サイトページを検索するためのクエリ情報を保持し、
携帯端末が、自らの周辺のアクセスポイントをサーチすることによって、各アクセスポイントから、当該アクセスポイントのアドレスを含む報知信号を受信する第１のステップと、
携帯端末が、報知信号に含まれた複数のアクセスポイントのアドレスを含むページ取得要求を、プロキシサーバへ送信する第２のステップと、
プロキシサーバが、アドレス対応テーブルを用いて、ページ取得要求に含まれる各アクセスポイントのアドレスに対応したサイトページのアドレスを検索する第３のステップと、
プロキシサーバが、検索したアドレスのサイトページ内のコンテンツをリファレンス情報として取得し、複数の各サイトページのアドレスに、当該サイトページのリファレンス情報を対応付けたリスト情報を生成する第４のステップと、
プロキシサーバが、リスト情報を携帯端末へ応答する第５のステップと、
携帯端末が、リスト情報について、複数のサイトページのアドレスを、クエリ情報に関連するリファレンス情報を有するものから順に並べ、当該リスト情報をユーザに明示する第６のステップと、
を有することを特徴とする。
尚、前述した２つのページ取得方法について、第６のステップは、リスト情報の１つ以上のアドレスを宛先とする各ページ取得要求を、それぞれのサイトサーバへ送信することも好ましい。
【手続補正６】
【補正対象書類名】明細書
【補正対象項目名】００４０
【補正方法】変更
【補正の内容】
【００４０】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおいて、
広域ネットワークに接続され、アクセスポイントのアドレス及びサイトページのアドレスの組毎に、当該サイトページに関連するリファレンス情報を対応付けて記憶したアドレス対応テーブルを含むプロキシサーバを更に有し、
携帯端末は、
自らの周辺のアクセスポイントをサーチすることによって、各アクセスポイントから、当該アクセスポイントのアドレスを含む報知信号を受信する報知信号受信手段と、
報知信号に含まれた複数のアクセスポイントのアドレスと、サイトページのリファレンス情報を検索するためのクエリ情報とを含むページ取得要求を、プロキシサーバへ送信する第１のページ取得要求送信手段と、
リスト情報をユーザに明示する第２のページ取得要求送信手段と
を有し、
プロキシサーバは、
アドレス対応テーブルを用いて、ページ取得要求に含まれる各アクセスポイントのアドレスに対応したサイトページのアドレスを検索するアドレス検索手段と、
検索した複数のサイトページのアドレスを、クエリ情報に関連するリファレンス情報を有するものから順に並べたリスト情報を生成するリスト情報生成手段と、
リスト情報を携帯端末へ応答するリスト情報応答手段と
を有することを特徴とする。
【手続補正７】
【補正対象書類名】明細書
【補正対象項目名】００４１
【補正方法】変更
【補正の内容】
【００４１】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおいて、
広域ネットワークに接続され、アクセスポイントのアドレス及びサイトページのアドレスの組毎に対応付けて記憶したアドレス対応テーブルを含むプロキシサーバを更に有し、
携帯端末は、
自らの周辺のアクセスポイントをサーチすることによって、各アクセスポイントから、当該アクセスポイントのアドレスを含む報知信号を受信する報知信号受信手段と、
報知信号に含まれた複数のアクセスポイントのアドレスと、サイトページを検索するためのクエリ情報とを含むページ取得要求を、プロキシサーバへ送信する第１のページ取得要求送信手段と、
リスト情報をユーザに明示する第２のページ取得要求送信手段と
を有し、
プロキシサーバは、
アドレス対応テーブルを用いて、ページ取得要求に含まれる各アクセスポイントのアドレスに対応したサイトページのアドレスを検索するアドレス検索手段と、
検索したアドレスのサイトページ内のコンテンツをリファレンス情報としてクエリ情報を用いて検索し、複数のサイトページのアドレスを、クエリ情報に関連するリファレンス情報を有するものから順に並べたリスト情報を生成するリスト情報生成手段と、
リスト情報を携帯端末へ応答するリスト情報応答手段と
を有することを特徴とする。
【手続補正８】
【補正対象書類名】明細書
【補正対象項目名】００４２
【補正方法】変更
【補正の内容】
【００４２】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおいて、
広域ネットワークに接続され、アクセスポイントのアドレス及びサイトページのアドレスの組毎に、当該サイトページに関連するリファレンス情報を対応付けて記憶したアドレス対応テーブルを含むプロキシサーバを更に有し、
携帯端末は、
サイトページのリファレンス情報を検索するためのクエリ情報を保持し、
自らの周辺のアクセスポイントをサーチすることによって、各アクセスポイントから、当該アクセスポイントのアドレスを含む報知信号を受信する報知信号受信手段と、
報知信号に含まれた複数のアクセスポイントのアドレスを含むページ取得要求を、プロキシサーバへ送信する第１のページ取得要求送信手段と、
リスト情報について、複数のサイトページのアドレスを、クエリ情報に関連するリファレンス情報を有するものから順に並べ、当該リスト情報をユーザに明示する第２のページ取得要求送信手段と
を有し、
プロキシサーバは、
アドレス対応テーブルを用いて、ページ取得要求に含まれる各アクセスポイントのアドレスに対応したサイトページのアドレスを検索するアドレス検索手段と、
検索した複数の各サイトページのアドレスに、サイトページのリファレンス情報を対応付けたリスト情報を生成するリスト情報生成手段と、
リスト情報を携帯端末へ応答するリスト情報応答手段と
を有することを特徴とする。
【手続補正９】
【補正対象書類名】明細書
【補正対象項目名】００４３
【補正方法】変更
【補正の内容】
【００４３】
本発明によれば、広域ネットワークに接続された複数のサイトサーバと、自らのアドレスを含む報知信号を送信するアクセスポイントと、広域ネットワークに接続することによってサイトサーバからページを取得する携帯端末とを有するシステムにおいて、
広域ネットワークに接続され、アクセスポイントのアドレス及びサイトページのアドレスの組毎に対応付けて記憶したアドレス対応テーブルを含むプロキシサーバを更に有し、
携帯端末は、
サイトページを検索するためのクエリ情報を保持し、
自らの周辺のアクセスポイントをサーチすることによって、各アクセスポイントから、当該アクセスポイントのアドレスを含む報知信号を受信する報知信号受信手段と、
報知信号に含まれた複数のアクセスポイントのアドレスを含むページ取得要求を、プロキシサーバへ送信する第１のページ取得要求送信手段と、
リスト情報について、複数のサイトページのアドレスを、クエリ情報に関連するリファレンス情報を有するものから順に並べ、当該リスト情報をユーザに明示する第２のページ取得要求送信手段と
を有し、
プロキシサーバは、
アドレス対応テーブルを用いて、ページ取得要求に含まれる各アクセスポイントのアドレスに対応したサイトページのアドレスを検索するアドレス検索手段と、
検索したアドレスのサイトページ内のコンテンツをリファレンス情報として取得し、複数の各サイトページのアドレスに、当該サイトページのリファレンス情報を対応付けたリスト情報を生成するリスト情報生成手段と、
リスト情報を携帯端末へ応答するリスト情報応答手段と
を有することを特徴とする。
【手続補正１０】
【補正対象書類名】明細書
【補正対象項目名】００５４
【補正方法】変更
【補正の内容】
【００５４】
（Ｓ１）携帯端末２は、無線ＬＡＮの通信インタフェースをオンにし、一定時間、自らの周辺のアクセスポイントをサーチする。各店舗Ａ〜Ｃに設置されたアクセスポイント５Ａ〜５Ｃは、常時、自らのアドレス（ＭＡＣアドレス及びＳＳＩＤ）を含むビーコン信号（報知信号）を放送している。携帯端末２は、それらビーコン信号を受信することによって、自らの周辺に、アクセスポイント５Ａ〜５Ｃが存在していることを認識する。